(57)【要約】【課題】発光体を含んで色純度が向上されながらも信頼性が改善された表示装置を提供する。【解決手段】一実施形態の表示装置は表示パネルユニット及び表示パネルユニットに第１色光を提供する光源ユニットを含む。一実施形態で、表示パネルユニットは、(i)第１基板、第１基板に対向し、(ii)第１基板よりも前記光源ユニットに近接するように配置された第２基板、(iii)第１基板と第２基板との間に配置された液晶層、(vi)第１基板及び液晶層の間に配置された第１配向誘導層、(v)第２基板と液晶層との間に配置された第２配向誘導層及び液晶層上に配置され、光源ユニットから提供された第１色光を吸収して第１色と異なる色で放出する発光体を含むカラー変換層を含み、第１配向誘導層は、重合された第１反応性メソゲンを含んで表示装置の信頼性及び表示品質を改善することができる。【選択図】図２
2018072817.tif 000002
【特許請求の範囲】
【請求項１】
表示パネルユニットと、
前記表示パネルユニットに第１色光を提供する光源ユニットと、を含み、
前記表示パネルユニットは、
第１基板と、
前記第１基板に対向し、前記第１基板よりも前記光源ユニットに近接するように配置された第２基板と、
前記第１基板と前記第２基板との間に配置され、複数の液晶分子を含む液晶層と、
前記第１基板と前記液晶層との間に配置された第１配向誘導層と、
前記第２基板と前記液晶層との間に配置された第２配向誘導層と、
前記液晶層上に配置され、前記光源ユニットから提供された前記第１色光を吸収して前記第１色と異なる色で放出する発光体を含むカラー変換層と、を含み、
前記第１配向誘導層は、重合された第１反応性メソゲンを含む表示装置。
【請求項２】
前記第２配向誘導層は、重合された第２反応性メソゲン、及び、ポリイミドの中で少なくともいずれか１つを含む請求項１に記載の表示装置。
【請求項３】
前記第２配向誘導層は、前記ポリイミドを含み、
前記第１配向誘導層は、前記ポリイミドを含まず、前記重合された第１反応性メソゲンを含む配向層である請求項２に記載の表示装置。
【請求項４】
前記第１配向誘導層の厚さは、前記第２配向誘導層の厚さ以下である請求項３に記載の表示装置。
【請求項５】
前記第１配向誘導層は、複数の重合体ボールを含む請求項１に記載の表示装置。
【請求項６】
前記第２配向誘導層は、前記重合された第２反応性メソゲンを含むものであり、
前記第１配向誘導層及び前記第２配向誘導層は、いずれも、複数の重合体ボールを含む請求項２に記載の表示装置。
【請求項７】
前記発光体は、前記第１色光を吸収して第２色光を放出する第１発光体と、
前記第１色光を吸収して前記第２色と異なる第３色光を放出する第２発光体と、を含む請求項１に記載の表示装置。
【請求項８】
前記カラー変換層は、
前記第１発光体を含む第１変換部と、
前記第２発光体を含む第２変換部と、
前記第１色光を透過させる第３変換部と、を含む請求項７に記載の表示装置。
【請求項９】
前記第１変換部乃至前記第３変換部は、平面図において互いに離隔されて配置され、
前記カラー変換層は、互いに離隔された前記第１変換部乃至前記第３変換部の変換部同士の間に配置される遮光部をさらに含む請求項８に記載の表示装置。
【請求項１０】
前記第１発光体の粒子サイズは、前記第２発光体の粒子サイズと異なる請求項７に記載の表示装置。
【請求項１１】
前記発光体は、蛍光体及び量子点の中で少なくとも１つを含む請求項１に記載の表示装置。
【請求項１２】
前記カラー変換層は、ベース樹脂と、
前記ベース樹脂に分散された光散乱粒子と、をさらに含む請求項１に記載の表示装置。
【請求項１３】
前記表示パネルユニットは、
第１方向の偏光軸を有する第１偏光層と、
前記第１方向と直交する第２方向の偏光軸を有する第２偏光層と、をさらに含む請求項１に記載の表示装置。
【請求項１４】
前記第１偏光層及び前記第２偏光層の中で少なくとも１つは、前記第１基板及び前記第２基板の間に配置される請求項１３に記載の表示装置。
【請求項１５】
前記第１偏光層は、前記第１配向誘導層と前記第１基板との間に配置され、
前記カラー変換層は、前記第１偏光層上に配置された請求項１４に記載の表示装置。
【請求項１６】
前記カラー変換層は、前記第１偏光層と前記第１基板との間に配置された請求項１５に記載の表示装置。
【請求項１７】
前記カラー変換層と前記液晶層との間に配置され、
前記第１色光を透過させ、前記第２色光及び前記第３色光を反射させる反射層をさらに含む請求項７に記載の表示装置。
【請求項１８】
前記反射層は、
各々が第１屈折率を有する１つ以上の第１絶縁膜と、
各々が前記第１屈折率と異なる第２屈折率を有する１つ以上の第２絶縁膜と、を含み、
前記１つ以上の第１絶縁膜と前記１つ以上の第２絶縁膜とは、交互に積層された請求項１７に記載の表示装置。
【請求項１９】
前記カラー変換層上に配置され、前記第１色光を反射する光フィルター層をさらに含む請求項８に記載の表示装置。
【請求項２０】
前記光フィルター層は、前記第２色光及び前記第３色光の中で少なくとも１つは透過させる請求項１９に記載の表示装置。
【請求項２１】
前記光フィルター層は、前記第１変換部上に配置された第１光フィルター層と、
前記第２変換部上に配置された第２光フィルター層と、を含む請求項１９に記載の表示装置。
【請求項２２】
前記第１光フィルター層は、前記第２色光を透過させ、前記第２光フィルター層は、前記第３色光を透過させる請求項２１に記載の表示装置。
【請求項２３】
前記第１光フィルター層は、前記第１発光体及び前記第２色光を放出する第２色顔料を含み、
前記第２光フィルター層は、前記第２発光体及び前記第３色を放出する第３色顔料を含む請求項２１に記載の表示装置。
【請求項２４】
前記カラー変換層上に配置されるカラーフィルター層をさらに含み、
前記カラーフィルター層は、
互いに異なる色の光を放出する複数のフィルター部と、
前記複数のフィルター部を互いに区分し、前記フィルター部の中で互いに隣接するフィルター部同士の間に配置される遮光部とを含む請求項１に記載の表示装置。
【請求項２５】
前記カラー変換層は、前記フィルター部を包み込むように配置され、
前記カラー変換層は、ベース樹脂及び散乱粒子をさらに含む請求項２４に記載の表示装置。
【請求項２６】
前記発光体は、前記第１色光を吸収して第２色光を放出する第１発光体と、
前記第１色光を吸収して前記第２色と異なる第３色光を放出する第２発光体と、を含む請求項２５に記載の表示装置。
【請求項２７】
表示パネルユニットと、
前記表示パネルユニットに第１色光を提供する光源ユニットと、を含み、
前記表示パネルユニットは、
第１基板と、
前記第１基板に対向し、前記第１基板より前記光源ユニットに隣接するように配置された第２基板と、
前記第１基板と前記第２基板との間に配置され複数の液晶分子を含む液晶層と、
前記第１基板と前記液晶層との間に配置された第１配向誘導層と、
前記第２基板と前記液晶層との間に配置された第２配向誘導層と、
前記第１配向誘導層と前記第１基板との間に配置された第１偏光層と、
前記光源ユニットと前記液晶層との間に配置された第２偏光層と、
前記第１偏光層上に配置されたカラー変換層と、を含み、
前記第１配向誘導層は、重合された反応性メソゲンを含み、前記カラー変換層は、前記第１色光を吸収して前記第１色と異なる色で放出する発光体を含み、前記カラー変換層は、前記第１基板に直接配置される表示装置。
【請求項２８】
前記カラー変換層は、前記第１配向誘導層に隣接する前記第１基板の一面上に配置された請求項２７に記載の表示装置。
【請求項２９】
青色光を発生する光源ユニットと、
前記光源ユニット上に配置され、緑色発光領域、赤色発光領域及び青色発光領域を含む表示パネルユニットと、を含み、
前記表示パネルユニットは、
第１基板と、
前記第１基板に対向し、前記第１基板よりも前記光源ユニットに近接するように配置された第２基板と、
前記第１基板と前記第２基板との間に配置された液晶層と、
前記液晶層と前記第１基板との間に配置され、重合された反応性メソゲンを含む第１配向誘導層と、
前記液晶層と前記第２基板との間に配置された第２配向誘導層と、
前記第１配向誘導層と前記第１基板との間に配置されたカラー変換層と、
前記カラー変換層と前記液晶層との間に配置される第１偏光層と、
前記第１偏光層と対向し、前記第１偏光層よりも前記光源ユニットに近接するように配置された第２偏光層と、を含み、
前記カラー変換層は、
前記緑色発光領域に対応して配置され、前記青色光を吸収して緑色光を放出する第１発光体を含む第１変換部と、
前記赤色発光領域に対応して配置され、前記青色光を吸収して赤色光を放出する第２発光体を含む第２変換部と、
前記青色発光領域に対応して配置され、前記青色光を透過させる第３変換部と、を含む表示装置。
【請求項３０】
前記重合された第１反応性メソゲンは、下記の化学式１又は下記の化学式２で表示される化合物に由来する請求項１に記載の表示装置。
＜化学式１＞
2018072817.tif 000019
＜化学式２＞
2018072817.tif 000020
前記化学式１及び前記化学式２において、
Ａ１、Ａ２、Ｂ１、及びＢ２は、それぞれ独立に、置換又は非置換の２価の炭化水素環基、又は置換又は非置換の２価のヘテロ環基であり、
ａ１、ａ３、ｂ１、ｂ２、ｂ３、及びｂ４は、それぞれ独立に、０以上６以下の整数であり、
ａ２及びａ４は、それぞれ独立に、０又は１であり、
Ｌ１及びＬ２は、連結基であり、
Ｚ１及びＺ２は、スペーサー基であり、
Ｐａ、Ｐｂ、及びＰｃは、重合基であり、
Ｅは、窒素原子及び酸素原子の中で少なくとも１つを含む水素結合作用基である。
【請求項３１】
前記重合された第１反応性メソゲンは、垂直配向基をさらに含む請求項３０に記載の表示装置。
【請求項３２】
前記第１基板及び前記第２基板は、いずれも、曲がった基板であり、
前記第２配向誘導層は、第２反応性メソゲン又はポリイミドを含む請求項１に記載の表示装置。
【発明の詳細な説明】
【技術分野】
【０００１】
本発明は表示装置に係り、より詳細には発光体を含む色変換部材を含む液晶表示装置に係る。
【背景技術】
【０００２】
一般的に、液晶表示装置は液晶層の特性にしたがってツイストされたネマティック型液晶表示装置、水平電界型液晶表示装置、又は垂直配向型液晶表示装置等に区分される。二重垂直配向型液晶表示装置は電場が印加されない状態で所定方向に配向され、液晶分子の長軸が前記基板面と垂直に配列されることを特徴とする。したがって、垂直配向型の液晶表示装置は視野角が広くてコントラスト比が大きいという長所を有する。
【０００３】
一方、液晶分子を所定方向に配向させるための方法としてはラビング法や光配向法等が使用され、垂直配向形液晶表示装置においては反応性単量体を利用して液晶分子を所定方向に配向させる技術が提示されている。
【先行技術文献】
【特許文献】
【０００４】
【特許文献１】韓国特許第１０−１１１００７１号公報
【特許文献２】韓国特許公開第１０−２０１０−００３７２８３号明細書
【特許文献３】韓国特許公開第１０−２０１６−００６７１５１号明細書
【特許文献４】韓国特許公開第１０−２０１６−００７１３０１号明細書
【特許文献５】韓国特許公開第１０−２０１６−００３６５４３号明細書
【発明の概要】
【発明が解決しようとする課題】
【０００５】
本発明の目的は、発光体を含んで色純度が向上されながらも信頼性が改善された表示装置を提供することにある。
【０００６】
本発明の目的は発光体の光効率を向上させる表示装置を提供することにある。
【課題を解決するための手段】
【０００７】
一実施形態においては、表示パネルユニットと、前記表示パネルユニットに第１色光を提供する光源ユニットと、を含み、前記表示パネルユニットは、(i)第１基板と、(ii)前記第１基板に対向し、前記第１基板よりも前記光源ユニットに近接するように配置された第２基板と、(iii)前記第１基板と前記第２基板との間に配置され、複数の液晶分子を含む液晶層と、(iv)前記第１基板と前記液晶層との間に配置された第１配向誘導層と、(v)前記第２基板と前記液晶層との間に配置された第２配向誘導層と、(vi)前記液晶層上に配置され、前記光源ユニットから提供された前記第１色光を吸収して前記第１色と異なる色で放出する発光体を含むカラー変換層と、を含み、前記第１配向誘導層は、重合された第１反応性メソゲンを含む表示装置を提供する。
【０００８】
前記第２配向誘導層は、重合された第２反応性メソゲン及びポリイミドの中で少なくともいずれか一つを含むことができる。
【０００９】
前記第２配向誘導層は前記ポリイミドを含むものであり、前記第１配向誘導層は、前記ポリイミドを含まず、前記重合された第１反応性メソゲンを含む配向層である。
【００１０】
前記第１配向誘導層の厚さは前記第２配向誘導層の厚さ以下である。
【００１１】
前記第１配向誘導層は複数の重合体ボールＡＰを含むことができる。
【００１２】
前記第２配向誘導層は前記重合された第２反応性メソゲンを含むものであり、前記第１配向誘導層及び前記第２配向誘導層は、いずれも、複数の重合体ボールＡＰを含むことができる。
【００１３】
前記発光体は、前記第１色光を吸収して第２色光を放出する第１発光体と、前記第１色光を吸収して前記第２色と異なる第３色光を放出する第２発光体と、を含むことができる。
【００１４】
前記カラー変換層は、前記第１発光体を含む第１変換部と、前記第２発光体を含む第２変換部と、前記第１色光を透過させる第３変換部と、を含むことができる。
【００１５】
前記第１変換部乃至前記第３変換部は、平面図で見た場合に、互いに離隔されて配置され、前記カラー変換層は、互いに離隔された前記第１変換部乃至前記第３変換部の間に配置される遮光部をさらに含むことができる。
【００１６】
前記第１発光体の粒子サイズは前記第２発光体の粒子サイズと異なりうる。
【００１７】
前記発光体は、蛍光体及び量子点の中で少なくとも１つを含むことができる。
【００１８】
前記カラー変換層は、ベース樹脂と、前記ベース樹脂中に分散された光散乱粒子と、をさらに含むことができる。
【００１９】
前記表示パネルユニットは、第１方向の偏光軸を有する第１偏光層と、前記第１方向に直交する第２方向の偏光軸を有する第２偏光層とをさらに含むことができる。
【００２０】
前記第１偏光層及び前記第２偏光層の中で少なくとも１つは、前記第１基板と前記第２基板との間に配置されうる。
【００２１】
前記第１偏光層は、前記第１配向誘導層と前記第１基板との間に配置され、前記カラー変換層は前記第１偏光層上に配置されうる。
【００２２】
前記カラー変換層は、前記第１偏光層と前記第１基板との間に配置されうる。
【００２３】
前記カラー変換層と前記液晶層との間に配置され、前記第１色光は透過させ、前記第２色光及び前記第３色光を反射させる反射層を、さらに含むことができる。
【００２４】
前記反射層は、各々が第１屈折率を有する一つ以上の第１絶縁膜と、各々が前記第１屈折率と異なる第２屈折率を有する一つ以上の第２絶縁膜と、を含み、前記一つ以上の第１絶縁膜と前記１つ以上の第２絶縁膜は交互に積層されることができる。
【００２５】
前記カラー変換層上に配置され、前記第１色光を反射する光フィルター層をさらに含むことができる。
【００２６】
前記光フィルター層は、前記第２色光及び前記第３色光の中で少なくとも一つは透過することができる。
【００２７】
前記光フィルター層は、前記第１変換部上に配置された第１光フィルター層と、前記第２変換部上に配置される第２光フィルター層と、を含むことができる。
【００２８】
前記第１光フィルター層は前記第２色光を透過させ、前記第２光フィルター層は前記第３色光を透過させることができる。
【００２９】
前記第１光フィルター層は前記第１発光体及び前記第２色光を放出する第２色顔料を含み、前記第２光フィルター層は、前記第２発光体及び前記第３色を放出する第３色顔料を含むことができる。
【００３０】
前記カラー変換層上に配置されるカラーフィルター層をさらに含み、前記カラーフィルター層は、互いに異なる色の光を放出する複数のフィルター部と、前記複数のフィルター部を互いに区分し、前記フィルター部の中で互いに隣接するフィルター部同士の間に配置される遮光部を含むことができる。
【００３１】
前記カラー変換層はフィルター部を包み込むように配置され、前記カラー変換層はベース樹脂及び散乱粒子をさらに含むことができる。
【００３２】
前記発光体は、前記第１色光を吸収して第２色光を放出する第１発光体と、前記第１色光を吸収して前記第２色と異なる第３色光を放出する第２発光体と、を含むことができる。
【００３３】
一実施形態においては、表示パネルユニットと、前記表示パネルユニットに第１色光を提供する光源ユニットと、を含み、前記表示パネルユニットは、(i)第１基板と、(ii)前記第１基板に対向し、前記第１基板よりも前記光源ユニットに近接するように配置された第２基板と、(iii)前記第１基板と前記第２基板との間に配置され、複数の液晶分子を含む液晶層と、(iv)前記第１基板と前記液晶層との間に配置された第１配向誘導層と、(v)前記第２基板及び前記液晶層の間に配置された第２配向誘導層と、(vi)前記第１配向誘導層と前記第１基板との間に配置された第１偏光層と、(v)前記光源ユニットと前記液晶層との間に配置された第２偏光層と、(vi)前記第１偏光層上に配置されたカラー変換層と、を含み、前記第１配向誘導層は、重合された反応性メソゲンを含み、前記カラー変換層は、前記第１色光を吸収して前記第１色と異なる色で放出する発光体を含み、前記カラー変換層は前記第１基板に直接配置される表示装置を提供することができる。
【００３４】
前記カラー変換層は、前記第１配向誘導層に隣接する前記第１基板の一面上に配置されることができる。
【００３５】
一実施形態は、青色光を発生する光源ユニットと、前記光源ユニット上に配置され、緑色発光領域、赤色発光領域及び青色発光領域を含む表示パネルユニットと、を含み、前記表示パネルユニットは、(i)第１基板と、(ii)前記第１基板に対向し、前記第１基板よりも前記光源ユニットに近接するように配置された第２基板と、(iii)前記第１基板と前記第２基板との間に配置された液晶層と、(iv)前記液晶層と前記第１基板との間に配置され、重合された反応性メソゲンを含む第１配向誘導層と、(v)前記液晶層と前記第２基板との間に配置された第２配向誘導層と、(vi)前記第１配向誘導層と前記第１基板との間に配置されたカラー変換層と、(vii)前記カラー変換層と前記液晶層との間に配置される第１偏光層と、(viii)前記第１偏光層に対向し、前記第１偏光層よりも前記光源ユニットに近接するように配置された第２偏光層を含み、前記カラー変換層は前記緑色発光領域に対応して配置され、前記青色光を吸収して緑色光を放出する第１発光体を含む第１変換部と、(ix)前記赤色発光領域に対応して配置され、前記青色光を吸収して赤色光を放出する第２発光体を含む第２変換部と、(x)前記青色発光領域に対応して配置され、前記青色光を透過させる第３変換部と、を含む表示装置を提供することができる。
【００３６】
前記重合された第１反応性メソゲンは下記の化学式１又は下記の化学式２で表示される化合物に由来する。
【００３７】
＜化学式１＞
2018072817.tif 000003
【００３８】
＜化学式２＞
2018072817.tif 000004
【００３９】
前記化学式１及び前記化学式２において、Ａ１、Ａ２、Ｂ１、及びＢ２は、それぞれ独立に、置換又は非置換の２価の炭化水素環基、又は置換又は非置換の２価のヘテロ環基であり、ａ１、ａ３、ｂ１、ｂ２、ｂ３及びｂ４は、それぞれ独立に０以上６以下の整数であり、ａ２及びａ４はそれぞれ独立に０又は１であり、Ｌ１及びＬ２は連結基であり、Ｚ１及びＺ２はスペーサー基であり、Ｐａ、Ｐｂ及びＰｃは重合基であり、Ｅは窒素原子及び酸素原子の中で少なくとも１つを含む水素結合作用基である。
【００４０】
前記重合された第１反応性メソゲンは垂直配向基をさらに含む。
【００４１】
前記第１基板及び前記第２基板は、いずれも曲がった基板であり、前記第２配向誘導層は第２反応性メソゲン又はポリイミドを含む。
【発明の効果】
【００４２】
一実施形態の表示装置は、液晶分子を配向させる配向誘導層の中で少なくとも１つを、重合された反応性メソゲンで形成することで、高温の製造工程を減少させることによって、カラー変換層に含まれた発光体の光効率を改善することができる。
【００４３】
一実施形態の表示装置は、配向誘導層を、重合された反応性メソゲンで形成するとともに、カラー変換層に、蛍光体又は量子点を使用することで、色再現率を向上させ、発光効率の信頼性を改善することができる。
【図面の簡単な説明】
【００４４】
【図１】一実施形態の表示装置の分解斜視図である。
【図２】図１のＩ−Ｉ’線に対応する断面図である。
【図３Ａ】一実施形態の表示装置に含まれる画素の中で１つの画素を概略的に示した平面図である。
【図３Ｂ】一実施形態の表示装置に含まれる画素の中で１つの画素を概略的に示した平面図である。
【図４】図３ＡのII−II’線に対応する断面図である。
【図５Ａ】図２に図示された一実施形態の表示装置の一部分に対する断面図である。
【図５Ｂ】一実施形態の表示装置に含まれた配向誘導層の平面イメージである。
【図６Ａ】一実施形態の表示装置に含まれたカラー変換層の平面図である。
【図６Ｂ】図６ＡのIII−III’に対応する断面図である。
【図７】一実施形態の表示装置の断面図である。
【図８】一実施形態の表示装置に含まれた反射層の断面図である。
【図９】一実施形態の表示装置で光学部材を透過する光の特性を簡略に示した図面である。
【図１０】一実施形態の表示装置の断面図である。
【図１１】一実施形態の表示装置の分解斜視図である。
【図１２】一実施形態の表示装置の断面図である。
【図１３】一実施形態の表示装置の断面図である。
【図１４】一実施形態の表示装置の断面図である。
【発明を実施するための形態】
【００４５】
本発明は多様な変更を加えることができ、様々な形態を有し得り、特定な実施形態を図面に例示し、本文で詳細に説明する。しかし、これは本発明を特定な開示形態に対して限定しようとすることではなく、本発明の思想及び技術範囲に含まれるすべての変更、均等物乃至代替物を含むこととして理解されるべきである。
【００４６】
各図を説明するにあたり、類似の参照符号を類似の構成要素に対して使用した。添付された図面において、構造物の寸法は本発明の明確性のために実際より拡大して図示したものである。第１、第２等の用語は多様な構成要素を説明するために使用されるが、前記構成要素は前記用語によって限定されてはならない。前記用語は１つの構成要素を他の構成要素から区別する目的のみに使用される。例えば、本発明の権利範囲を逸脱しなく、第１構成要素は第２構成要素と称され、類似に第２構成要素も第１構成要素と称されることができる。単数の表現は文脈の上に明確に異なりに表現しない限り、複数の表現を含む。
【００４７】
本出願で、“含む”等の用語は明細書上に記載された特徴、数字、段階、動作、構成要素、部品、又はこれらを組合したことが存在することを表現しようするものであり、１つ又はその以上の他の特徴や数字、段階、動作、構成要素、部分品、又はこれらを組み合せたものの存在又は付加可能性を予め排除しないものとして理解されるべきである。また、層、膜、領域、板等の部分が他の部分の“上に”あるという場合、これは、他の部分の“直ちに上に”ある場合のみでなく、その中間にその他の部分がある場合も含む。反対に、層、膜、領域、板等の部分が他の部分の“下に”あるという場合、これは、他の部分の“直ちに下に”ある場合のみでなく、その中間に、その他の部分がある場合も含む。また、本出願で“上に”配置されたというのは、上部のみならず、下部に配置される場合も含む。
【００４８】
以下、図面を参照して本発明の一実施形態に係る表示装置に対して説明する。
【００４９】
図１は一実施形態の表示装置の分解斜視図である。図２は一実施形態の表示装置の断面図である。図２は、図１のＩ−Ｉ’線に対応する面についての断面図である。図３Ａ乃至図３Ｂは、一実施形態の表示装置ＤＤに含まれる画素の中で、１つの画素を概略的に示した平面図である。図４は、図３ＡのII−II’に対応する断面図である。
【００５０】
図１乃至図２を参照すれば、一実施形態の表示装置ＤＤは表示パネルユニットＤＰ及び表示パネルユニットＤＰへ光を提供する光源ユニットＢＬＵを含む。表示パネルユニットＤＰは映像を提供し、光源ユニットＢＬＵは第１色光を生成する。
【００５１】
光源ユニットＢＬＵは、第１色光を生成して表示パネルユニットＤＰに提供する。光源ユニットＢＬＵは、表示パネルユニットＤＰの下部に配置されて、表示パネルユニットＤＰに光を提供する。光源ユニットＢＬＵから提供される第１色光は青色光である。また、第１色光は紫外線である。例えば、光源ユニットＢＬＵは、３５０ｎｍ以上４５０ｎｍ以下の波長領域の光を提供する。
【００５２】
光源ユニットＢＬＵは複数の発光素子を含む。光源ユニットＢＬＵは、複数の発光素子及び発光素子に電源を提供する回路基板を含む。光源ユニットＢＬＵにて、発光素子は回路基板上に配置される。例えば、光源ユニットにて、発光素子は青色光を生成する。
【００５３】
光源ユニットＢＬＵで生成された第１色光は、表示パネルユニットＤＰに提供される。表示パネルユニットＤＰは光源ユニットＢＬＵ上に配置される。表示パネルユニットＤＰは、映像を表示する表示領域ＤＡ、及び、映像を表示しない非表示領域ＮＤＡを含む。非表示領域ＮＤＡは、表示領域ＤＡの外郭に配置される。
【００５４】
表示パネルユニットＤＰは、第１方向軸ＤＲ１及び第２方向軸ＤＲ２が規定する平面を有するプレート状である。例えば、表示装置ＤＤの第３方向軸ＤＲ３側である厚さ方向から見た時、表示領域ＤＡは、大略、長方形状を有するが、実施形態がこれに限定されるのではない。第３方向軸ＤＲ３方向は、使用者の立場で表示装置ＤＤの正面を見る方向である。
【００５５】
一方、図１乃至図２にて、表示装置ＤＤは、フラットな形状を有するものとして図示されたが、実施形態がこれに限定されるのではない。一実施形態において、表示装置ＤＤはカーブドディスプレイ（曲面表示装置）である。例えば、表示装置ＤＤは、使用者が表示装置を見た時、全体的に凹んでいるように曲がっているか、又は膨らんでいるように曲がったカーブドディスプレイである。また、表示装置の一部分でのみベンディング（ｂｅｎｄｉｎｇ）された表示装置であってもよい。
【００５６】
また、一実施形態の表示装置は、フレキシブル（Ｆｌｅｘｉｂｌｅ）表示装置である。例えば、表示装置はフォルダブル（ｆｏｌｄａｂｌｅ）ディスプレイ（折り畳み可能な表示装置）、又はローラブル（ｒｏｌｌａｂｌｅ）ディスプレイ（巻き取り可能な表示装置）である。
【００５７】
一実施形態の表示パネルユニットＤＰの表示領域ＤＡは複数の画素領域（図示せず）を含む。画素領域（図示せず）は、例えば複数のゲートライン及び複数のデータラインによって範囲が画される。画素領域（図示せず）はマトリックス状に配置される。各画素領域（図示せず）には画素ＰＸ（図３Ａ及び図３Ｂ参照）が配置される。
【００５８】
表示パネルユニットＤＰは、互いに対向する第１基板ＳＵＢ１と、第２基板ＳＵＢ２と、液晶層ＬＣＬとを含む。液晶層ＬＣＬは、第１基板ＳＵＢ１と第２基板ＳＵＢ２との間に配置される。
【００５９】
第１基板ＳＵＢ１及び第２基板ＳＵＢ２は、それぞ独立に、ポリマー基板、プラスチック基板、ガラス基板、又は石英基板等でありうる。第１基板ＳＵＢ１及び第２基板ＳＵＢ２は、透明な絶縁基板でありうる。第１基板ＳＵＢ１及び第２基板ＳＵＢ２は、いずれも剛直なものでありうる。第１基板ＳＵＢ１及び第２基板ＳＵＢ２は、いずれもフレキシブルなものでありうる。
【００６０】
一方、図面に図示されなかったが、第１基板ＳＵＢ１及び第２基板ＳＵＢ２は各々共通電極及び画素電極を含む。第１基板ＳＵＢ１の上には共通電極（図示せず）が配置され、第２基板ＳＵＢ２の上には画素電極（図示せず）が配置される。即ち、第１基板の下部面には共通電極（図示せず）が配置され、第２基板ＳＵＢ２の上部面には画素電極（図示せず）が配置される。一実施形態で、第１基板ＳＵＢ１の下部面は、液晶層ＬＣＬに隣接する第１基板ＳＵＢ１の一面であり、第２基板ＳＵＢ２の上部面は、液晶層ＬＣＬに隣接する第２基板ＳＵＢ２の一面である。
【００６１】
液晶層ＬＣＬは、第１基板ＳＵＢ１と第２基板ＳＵＢ２との間に配置され、複数の液晶分子ＬＣを含む。液晶層ＬＣＬは、誘電率異方性を有する液晶分子ＬＣが配列されて提供される。液晶層ＬＣＬには、通常使用される液晶分子であれば、特別に限定されず、使用することができ、例えば液晶分子ＬＣはアルケニル系液晶化合物、アルコキシ系液晶化合物が使用されうる。実施形態にて使用された液晶分子ＬＣは、負の誘電率異方性を有するが、実施形態がこれに限定されることはなく、例えば正の誘電率異方性を有する液晶分子ＬＣが使用されてもよい。
【００６２】
表示パネルユニットＤＰは、第１配向誘導層ＡＬＮ１及び第２配向誘導層ＡＬＮ２を含む。第１配向誘導層ＡＬＮ１は、第１基板ＳＵＢ１及び液晶層ＬＣＬの間に配置され、第２配向誘導層ＡＬＮ２は第２基板ＳＵＢ２及び液晶層ＬＣＬの間に配置される。即ち、第１配向誘導層ＡＬＮ１と第２配向誘導層ＡＬＮ２とは液晶層ＬＣＬを介して互いに対向して配置される。第１配向誘導層ＡＬＮ１と第２配向誘導層ＡＬＮ２とは液晶層の液晶分子ＬＣが所定の線傾斜角を有するように配列させる。線傾斜角は液晶分子ＬＣの長軸が隣接する配向誘導層ＡＬＮ１、ＡＬＮ２の一面に対して形成する角度である。例えば、垂直配向液晶である場合、線傾斜角は約９０°である。
【００６３】
また、第１配向誘導層ＡＬＮ１は第１基板ＳＵＢ１に配置された共通電極（図示せず）上に配置される。即ち、第１配向誘導層ＡＬＮ１は共通電極（図示せず）の下部面に配置される。具体的に、共通電極（図示せず）の下部面は液晶層ＬＣＬに隣接する共通電極（図示せず）の一面である。
【００６４】
第２配向誘導層ＡＬＮ２は画素電極（図示せず）上に配置される。第２配向誘導層ＡＬＮ２は第２基板ＳＵＢ２及び液晶層ＬＣＬの間に配置される。配向誘導層に対しては後に詳細に説明する。
【００６５】
一実施形態の表示装置ＤＤでカラー変換層ＣＣＬを含む。カラー変換層ＣＣＬは液晶層ＬＣＬ上に配置される。例えば、カラー変換層ＣＣＬは液晶層ＬＣＬの上部面に配置される。液晶層ＬＣＬの上部面は第１基板ＳＵＢ１に隣接する液晶層ＬＣＬの一面である。カラー変換層ＣＣＬは光源ユニットＢＬＵで提供された第１色光を吸収して第１色と異なる色で放出する発光体を含む。カラー変換層ＣＣＬに対しては後に詳細に説明する。
【００６６】
図３Ａ乃至図３Ｂでは１つの画素を図示し、余りの画素の各々の構造は図３Ａ乃至図３Ｂに図示された画素の構造と類似である。
【００６７】
図３Ａ乃至図３Ｂ及び図４では説明を簡易にするために、ゲートラインＧＧＬの中で１つのゲートラインとデータラインＤＬとの中で１つのデータラインと連結された１つの画素ＰＸを図示したが、実施形態がこれに限定することではない。例えば、１つのゲートライン及び１つのデータラインと複数の画素が連結されてもよく、複数のゲートライン及び複数のデータラインが１つの画素と連結されてもよい。
【００６８】
図３Ａ乃至図３Ｂ及び図４の図示を参照すれば、ゲートラインＧＧＬは第１方向軸ＤＲ１方向に延長されて形成される。ゲートラインＧＧＬは第２基板ＳＵＢ２上に形成される。データラインＤＬはゲートラインＧＧＬと第１方向軸ＤＲ１に交差する第２方向軸ＤＲ２方向に延長されて提供される。
【００６９】
画素ＰＸの各々は薄膜トランジスタＴＦＴと薄膜トランジスタＴＦＴとに連結された画素電極ＰＥ、及びストレージ電極部を含む。薄膜トランジスタＴＦＴはゲート電極ＧＥ、ゲート絶縁膜ＧＩ、半導体パターンＳＭ、ソース電極ＳＥ、及びドレーン電極ＤＥを含む。ストレージ電極部は第１方向軸ＤＲ１方向に延長されたストレージラインＳＬｎと、ストレージラインＳＬｎから分岐されて第２方向軸ＤＲ２方向に延長された第１分岐電極ＬＳＬｎ及び第２分岐電極ＲＳＬｎをさらに含む。
【００７０】
ゲート電極ＧＥはゲートラインＧＧＬから突出させるか、或いはゲートラインＧＧＬの一部の領域上に提供される。ゲート電極ＧＥは金属からなされる。ゲート電極ＧＥはニッケル、クロム、モリブデン、アルミニウム、チタニウム、銅、タングステン、及びこれらを含む合金からなされる。ゲート電極ＧＥは金属を利用する単一膜又は多重膜で形成されることができる。例えば、ゲート電極ＧＥはモリブデン、アルミニウム、及びモリブデンが順次に積層された三層膜であるか、或いはチタニウムと銅が順次的に積層された二層膜である。又はチタニウムと銅との合金からなされた単層膜である。
【００７１】
半導体パターンＳＭはゲート絶縁膜ＧＩ上に提供される。半導体パターンＳＭはゲート絶縁膜ＧＩを介してゲート電極ＧＥ上に提供される。半導体パターンＳＭは一部の領域がゲート電極ＧＥと重畳される。半導体パターンＳＭはゲート絶縁膜ＧＩ上に提供されたアクティブパターン（図示せず）とアクティブパターン上に形成されたオーミックコンタクト層（図示せず）とを含む。アクティブパターンは非晶質シリコン薄膜からなされ、オーミックコンタクト層（図示せず）はｎ＋非晶質シリコン薄膜からなされることができる。オーミックコンタクト層（図示せず）はアクティブパターンとソース電極ＳＥ及びドレーン電極ＤＥの間を各々オーミックコンタクト（ｏｈｍｉｃ  ｃｏｎｔａｃｔ）させる。
【００７２】
ソース電極ＳＥはデータラインＤＬで分枝されて提供される。ソース電極ＳＥはオーミックコンタクト層（図示せず）上に形成され、一部の領域がゲート電極ＧＥと重畳する。データデータラインＤＬはゲート絶縁膜ＧＩの中で半導体パターンＳＭが配置されない領域に配置される。
【００７３】
ドレーン電極ＤＥは半導体パターンＳＭを介してソース電極ＳＥから離隔されて提供される。ドレーン電極ＤＥはオーミックコンタクト層（図示せず）上に形成され、一部の領域がゲート電極ＧＥと重畳するように提供される。
【００７４】
ソース電極ＳＥとドレーン電極ＤＥとはニッケル、クロム、モリブデン、アルミニウム、チタニウム、銅、タングステン、及びこれらを含む合金からなされる。ソース電極ＳＥとドレーン電極ＤＥとは金属を利用する単一膜又は多重膜で形成される。例えば、ソース電極ＳＥとドレーン電極ＤＥとはチタニウムと銅が順次的に積層された二重膜である。又はチタニウムと銅との合金からなされた単一膜である。
【００７５】
したがって、ソース電極ＳＥとドレーン電極ＤＥとの間のアクティブパターンの上面が露出され、ゲート電極ＧＥの電圧印加の可否に応じてソース電極ＳＥとドレーン電極ＤＥとの間で伝導チャンネル（ｃｏｎｄｕｃｔｉｖｅ  ｃｈａｎｎｅｌ）をなすチャンネル部になる。ソース電極ＳＥとドレーン電極ＤＥとはソース電極ＳＥとドレーン電極ＤＥとの間の離隔されて形成されたチャンネル部を除外した領域で半導体パターンＳＭの一部と重畳する。
【００７６】
画素電極ＰＥは保護膜ＰＳＶを介してドレーン電極ＤＥに連結される。画素電極ＰＥはストレージラインＳＬｎ、第１分岐電極ＬＳＬｎ及び第２分岐電極ＲＳＬｎと部分的にオーバーラップされてストレージキャパシターを形成する。
【００７７】
保護膜ＰＳＶはソース電極ＳＥ、ドレーン電極ＤＥ、チャンネル部、及びゲート絶縁膜ＧＩをカバーし、ドレーン電極ＤＥの一部を露出するコンタクトホールＣＨを有する。保護膜ＰＳＶは，例えばシリコン窒化物や、シリコン酸化物を含むことができる。
【００７８】
画素電極ＰＥは保護膜ＰＳＶに形成されたコンタクトホールＣＨを通じてドレーン電極ＤＥに連結される。画素電極ＰＥは透明な導電性物質から形成される。特に、画素電極ＰＥは透明導電性酸化物（Ｔｒａｎｓｐａｒｅｎｔ  Ｃｏｎｄｕｃｔｉｖｅ  Ｏｘｉｄｅ）から形成される。透明導電性酸化物はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＩＴＺＯ（ｉｎｄｉｕｍ  ｔｉｎ  ｚｉｎｃ  ｏｘｉｄｅ）等である。
【００７９】
一方、図３Ａと比較して図３Ｂでは画素電極ＰＥ’が複数のドメインＤＭ１、ＤＭ２、ＤＭ３、ＤＭ４に区分されることのみが異なる。図３Ｂで画素電極ＰＥ’は幹部ＰＥａと幹部ＰＥａから放射形に突出されて延長された複数の枝部ＰＥｂを含む。幹部ＰＥａ又は枝部ＰＥｂの中で一部はドレーン電極ＤＥとコンタクトホールＣＨを通じて連結される。
【００８０】
幹部ＰＥａは多様な形状に提供されることができ、一例として本発明の一実施形態のように十字形状に提供されることができる。枝部ＰＥｂは互いに離隔されており、幹部ＰＥａによって区分された領域内では互いに平行である方向に延長される。互いに隣接する枝部ＰＥｂの間はマイクロメーター単位の距離に離隔されて、これは液晶層ＬＣＬの液晶分子を特定方位角に整列させるための手段に該当される。
【００８１】
画素ＰＸの各々は幹部ＰＥａによって複数のドメインＤＭ１、ＤＭ２、ＤＭ３、ＤＭ４に区分される。枝部ＰＥｂはドメインＤＭ１、ＤＭ２、ＤＭ３、ＤＭ４の各々に対応されて、ドメインＤＭ１、ＤＭ２、ＤＭ３、ＤＭ４の各々毎に互いに異なる方向に延長される。本発明の一実施形態では画素ＰＸの各々が４つのドメインを含むことを例として図示したが、これに限定することではなく、画素ＰＸの各々は２つ、６個、８個等の多様な数のドメインを含むことができる。また、ドメインの分割形態においても図３Ｂに図示されたことに限定されなく、幹部ＰＥａが第１方向軸ＤＲ１に並べに配列されるか、又は幹部ＰＥａが第２方向軸ＤＲ２に並べに配列されるように配置されて複数のドメインを区分することができる。また、第２配向誘導層ＡＬＮ２は画素電極ＰＥ’及び保護膜ＰＳＶ上に提供されることができる。
【００８２】
第１基板ＳＵＢ１の上にはカラー変換層ＣＣＬ及び共通電極ＣＥが配置される。また、第１基板ＳＵＢ１の上には第１偏光層ＰＯ１、及び第１配向誘導層ＡＬＮ１をさらに配置される。第１偏光層ＰＯ１はカラー変換層ＣＣＬの下部面上に配置される。第１偏光層ＰＯ１は共通電極ＣＥとカラー変換層ＣＣＬとの間に配置される。
【００８３】
カラー変換層ＣＣＬは、変換部ＣＣＦと遮光部ＢＭを含む。遮光部ＢＭは第１基板ＳＵＢ１の遮光領域に対応して提供される。遮光領域はデータラインＤＬ、薄膜トランジスタＴＦＴ及びゲートラインＧＧＬが形成された領域に定義される。遮光部ＢＭは遮光領域に形成されて光漏りを遮断する。本発明の一実施形態では遮光部ＢＭが第１基板ＳＵＢ１上に配置されたカラー変換層ＣＣＬに含まれたことを開示したが、これに限定されることはなく、遮光部ＢＭは第２基板ＳＵＢ２に上に配置されてもよい。
【００８４】
共通電極ＣＥは、第１基板ＳＵＢ１上に提供され、画素電極ＰＥ’と共に電界を形成することによって液晶層ＬＣＬを制御する。本発明の一実施形態では共通電極ＣＥが第１基板ＳＵＢ１上に配置されたことを開示したが、これに限定されることはなく、共通電極ＣＥは第２基板ＳＵＢ２上に配置されてもよい。共通電極ＣＥは透明導電性物質で形成される。共通電極ＣＥは、例えばＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＩＴＺＯ（ｉｎｄｉｕｍ  ｔｉｎ  ｚｉｎｃ  ｏｘｉｄｅ）等の導電性金属酸化物から形成される。共通電極ＣＥの上には第１配向誘導層ＡＬＮ１が配置される。即ち、図４を参照すると、第１配向誘導層ＡＬＮ１は、共通電極ＣＥの下部面に配置される。共通電極ＣＥの下部面は、液晶層ＬＣＬに隣接する共通電極ＣＥの一面である。
【００８５】
図２乃至図４に図示された一実施形態で、第１配向誘導層ＡＬＮ１は、重合された反応性メソゲンを含む配向層である。第１配向誘導層ＡＬＮ１は重合反応基を有する反応性メソゲンを提供して形成される。
【００８６】
提供された反応性メソゲンは、少なくとも一方の側に重合反応基を有する化合物である。反応性メソゲンは、コア部分を基準に、両側全てに重合反応基を有するか、或いはコア部分を基準に、一方の側のみに重合反応基を有する。
【００８７】
また、提供された反応性メソゲンは、アンカーグループ（ａｎｃｈｏｒｉｎｇ  ｇｒｏｕｐ）を有する化合物である。反応性メソゲンは、一方の側に重合反応基を有し、他方の側には基板に固定されるアンカーグループを有する。提供された反応性メソゲンにおけるアンカーグループは、水素結合作用基である。アンカーグループは、反応性メソゲンが、提供される基板に吸着して、水素結合を形成する作用基である。例えば、一実施形態で、アンカーグループは、第１基板ＳＵＢ１に形成された共通電極ＣＥに吸着して、水素結合を形成する。具体的に、反応性メソゲンにおけるアンカーグループは、窒素又は酸素の中で少なくとも１つを含む作用基である。また、第１配向誘導層ＡＬＮ１に含まれた、重合された反応性メソゲンは、垂直配向基を有する。
【００８８】
一実施形態の表示装置ＤＤにおいて、第１配向誘導層ＡＬＮ１は、ポリイミドを含み、重合された反応性メソゲンを含むように形成される。
【００８９】
第２配向誘導層ＡＬＮ２は、重合された反応性メソゲン及びポリイミドの中で少なくとも１つを含む。即ち、第２配向誘導層ＡＬＮ２は重合された反応性メソゲンを含む配向層であるか、又はポリイミドを含む配向層である。又は、２配向誘導層ＡＬＮ２は重合された反応性メソゲン及びポリイミドを全て含む配向層である。第２配向誘導層ＡＬＮ２が重合された反応性メソゲンを含む配向層である場合、第２配向誘導層ＡＬＮ２は、ポリイミドを含まない配向層である。また、第２配向誘導層ＡＬＮ２がポリイミドを含む配向層である場合、ポリイミド配向層上に、一部重合された反応性メソゲンを含むこともあり得る。
【００９０】
一方、第１配向誘導層ＡＬＮ１は、重合された第１反応性メソゲンを含んで形成され、第２配向誘導層ＡＬＮ２を重合された第２反応性メソゲンを含んで形成されうる。第１配向誘導層ＡＬＮ１及び第２配向誘導層ＡＬＮ２が、いずれも、重合された反応性メソゲンで形成された場合、第１配向誘導層ＡＬＮ１を形成する重合された第１反応性メソゲンと、第２配向誘導層ＡＬＮ２を形成する重合された第２反応性メソゲンとは、互いに同一であるか、又は互いに異なる。
【００９１】
第１配向誘導層ＡＬＮ１を形成する重合された反応性メソゲンは、下記の化学式１又は化学式２で表示される化合物の誘導体から形成される。即ち、第１配向誘導層ＡＬＮ１は、下記の化学式１又は化学式２で表示される化合物について重合反応が進行された後に生成されたものである、重合された反応性メソゲンを含んで形成される。第１配向誘導層ＡＬＮ１は、化学式１で表示される化合物及び化学式２で表示される化合物の中で少なくとも１つを含んで形成される。
【００９２】
＜化学式１＞
2018072817.tif 000005
【００９３】
＜化学式２＞
2018072817.tif 000006
【００９４】
前記化学式１及び前記化学式２において、Ａ１、Ａ２、Ｂ１、及びＢ２は、それぞれ独立に、置換又は非置換された２価の炭化水素環基、又は置換又は非置換された２価のヘテロ環基である。ａ１、ａ３、ｂ１、ｂ２、ｂ３及びｂ４は、それぞれ独立に、０以上６以下の整数であり、ａ２及びａ４は各々独立的に０又は１である。また、Ｌ１及びＬ２は連結基であり、Ｚ１及びＺ２はスペーサー基である。Ｐａ、Ｐｂ及びＰｃは重合基である。Ｅは窒素原子及び酸素原子の中で少なくとも１つを含む水素結合作用基である。
【００９５】
一方、第１配向誘導層ＡＬＮ１は、化学式１で表示される反応性メソゲンから形成されることができる。第１配向誘導層ＡＬＮ１は化学式２で表示される反応性メソゲンから形成される。また、第１配向誘導層ＡＬＮ１は化学式１で表示される反応性メソゲン及び化学式２で表示される反応性メソゲンを全て含んで形成される。
【００９６】
また、反応性メソゲンから形成された第１配向誘導層ＡＬＮ１は、提示された化学式１又は化学式２の化合物ではないアクリレート、メタクリレート、エポキシ、オキセタン、ビニール−エーテル及びスチレン、及びこれらの誘導体化合物の中で少なくとも１つを含む反応性メソゲンから形成される。
【００９７】
化学式１で表示される反応性メソゲン化合物は、コア部分であるＡ１及びＡ２を介して両側に重合基を有する。また、化学式２で表示される反応性メソゲン化合物は、一側のみに重合基を有する。化学式２の反応性メソゲン化合物は、コア部分であるＢ１及びＢ２を介して、一側にはＰｃで表示される重合基を有し、他の一側にはＥで表示されるアンカーグループ（ａｎｃｈｏｒｉｎｇ  ｇｒｏｕｐ）を有する。アンカーグループは反応性メソゲンこの基板上に吸着されるようにする結合基である。
【００９８】
Ａ１、Ａ２、Ｂ１、及びＢ２は、それぞれ独立に、置換又は非置換された環形成炭素数６以上３０以下の芳香族環基、置換又は非置換された環形成炭素数２以上３０以下のヘテロ芳香族環基、置換又は非置換された環形成炭素数５以上３０以下の脂肪族環基、又は置換又は非置換の環形成炭素数２以上３０以下のヘテロ脂肪族環基である。一方、ヘテロ環基でヘテロ原子はＯ、Ｎ、又はＳである。また、Ａ１、Ａ２、Ｂ１、及びＢ２は多環の環基であり、多環環基は隣接する環基又は隣接する置換基と環基が互いに結合して形成された縮合環基である。
【００９９】
Ａ１、Ａ２、Ｂ１、及びＢ２は、２価の環化合物で、例えば置換又は非置換の環形成炭素数６以上３０以下のアリーレン基、又は置換又は非置換された環形成炭素数２以上３０以下のヘテロアリーレン基である。また、Ａ１、Ａ２、Ｂ１、及びＢ２は２価の置換又は非置換された環形成炭素数５以上３０以下のシクロアルキレン又はシクロアルケニレン、又は２価の置換又は非置換された環形成炭素数２以上３０以下のヘテロシクロアルキレン又はヘテロシクロアルケニレンである。
【０１００】
一方、ａ１が２以上の整数である場合、Ａ１−Ｌ１は同一のものが繰り返される。また、複数のＡ１−Ｌ１は互いに異なる層が連結されてもよい。
【０１０１】
化学式１及び化学式２でＡ１、Ａ２、Ｂ１及びＢ２は各々独立的に置換又は非置換された下記のＡ−１乃至Ａ−２２の環化合物の中から選択される。一方、本明細書の化学式に対する説明で、“---＊”は化合物における連結される部分を示す。
【０１０２】
2018072817.tif 000007
【０１０３】
一方、Ａ１、Ａ２、Ｂ１及びＢ２は、それぞれ独立に、重水素原子、ハロゲン原子、−ＯＨ、−ＳＨ、−ＮＨ２、−ＣＮ、−ＣＦ３、−Ｂ（ＯＨ）２、及び−Ｒ０（ＣＨ２）ｒＲ１の中で少なくとも１つに置換又は非置換される。ここで、Ｒ０は−Ｏ、−ＮＨ、−Ｓ、−Ｃ＝Ｏ及び−Ｏ−Ｃ＝Ｏの中でいずれか１つであり、Ｒ１は−ＯＨ、−ＮＨ２、−ＣＮ、−ＣＦ３、−Ｂ（ＯＨ）２、−ＳＨ及び−ＣＨ３の中でいずれか１つであり、ｒは１以上１２以下の整数である。
【０１０４】
Ｌ１及びＬ２は、それぞれ独立に、単結合、−Ｏ−、−Ｓ−、−ＣＯ−、−ＣＯＯ−、−ＯＣＯＯ−、−Ｏ（ＣＨ２）ｋ１−、−Ｓ（ＣＨ２）ｋ１−、−Ｏ（ＣＦ２）ｋ１−、−Ｓ（ＣＦ２）ｋ１−、−（ＣＨ２）ｋ１−、−（ＣＦ２）ＣＨ２−、−（ＣＦ２）ｋ１−、−ＣＨ＝ＣＨ−、−ＣＦ＝ＣＦ−、−Ｃ≡Ｃ−、−ＣＨ＝ＣＨ−ＣＯＯ−、又は−（ＣＨ２）ｋ１−ＣＯＯ−（ＣＨ２）ｋ２−Ｏ−である。ここで、ｋ１及びｋ２は各々独立的に０以上４以下の整数である。
【０１０５】
Ｌ１及びＬ２は、コアグループであるＡ１及びＡ２を互いに連結するか、或いはコアグループであるＢ１、及びＢ２を互いに連結する連結基である。又は、Ｌ１及びＬ２は、コアグループであるＡ１及びＡ２を末端反応基である重合基Ｐａ及びＰｂと連結する連結基であり、コアグループであるＢ１及びＢ２を末端反応基である重合基Ｐｃ及びＥと連結する連結基である。
【０１０６】
一方、Ｌ１及びＬ２は提示された例示の連結基に限定されず、結合順序が変更されうる。例えば、−Ｏ（ＣＨ２）ｋ１−は−（ＣＨ２）ｋ１Ｏ−を含む。これは提示された他の連結基にも適用されうる。
【０１０７】
Ｚ１及びＺ２は、それぞれ独立に、単結合、−Ｏ−、−Ｓ−、−ＣＯ−、−ＣＯＯ−、−ＯＣＯＯ−、−Ｏ（ＣＨ２）ｍ１−、−Ｓ（ＣＨ２）ｍ１−、−Ｏ（ＣＦ２）ｍ１−、−Ｓ（ＣＦ２）ｍ１−、−（ＣＨ２）ｍ１−、−（ＣＦ２）ＣＨ２−、−（ＣＦ２）ｍ１−、−ＣＨ＝ＣＨ−、−ＣＦ＝ＣＦ−、−Ｃ≡Ｃ−、−ＣＨ＝ＣＨ−ＣＯＯ−、−（ＣＨ２）ｍ１−ＣＯＯ−、−（ＣＨ２）ｍ１−ＣＯＯ−（ＣＨ２）ｍ２−Ｏ−、−ＣＨ−（Ｓｐ−Ｐａ）−、−ＣＨ２ＣＨ−（Ｓｐ−Ｐａ）−、又は−（ＣＨ−（Ｓｐ−Ｐａ）−ＣＨ−（Ｓｐ−Ｐａ））−である。この時、ｍ１及びｍ２は各々独立的に０以上４以下の整数である。また、Ｓｐは単結合又はスペーサー基であり、Ｐａは重合基である。
【０１０８】
スペーサー基は、コアグループと重合基又はコアグループとアンカーグループを連結する。例えば、スペーサー基は炭素数１以上１２以下のアルキル基、炭素数１以上１２以下のアルコキシ基等である。しかし、実施形態がこれに限定されることはなく、例えばスペーサー基は−（ＣＨ２）ｉ１−、−（ＣＨ２ＣＨ２Ｏ）ｉ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−、又は−（ＳｉＲ２Ｒ３−Ｏ）ｉ１−である。ここで、Ｒ２及びＲ３は、それぞれ独立に、水素原子又は炭素数１乃至１２のアルキル基である。ｉ１は１以上１２以下の整数である。
【０１０９】
一方、化学式２で、Ｅはアンカーグループである。Ｅは、窒素及び酸素原子を少なくとも１つ含む水素結合基である。
【０１１０】
例えば、化学式２でＥは下記Ｅ−１乃至Ｅ−１９のヘテロ環基又はアミン基の中から選択される。Ｅ−１８又はＥ−１９乃至ｎ１及びｎ２は各々独立的に１以上１２以下の整数である。
【０１１１】
2018072817.tif 000008
【０１１２】
化学式１のＰａ及びＰｂは、それぞれ独立に、下記のＰ−１乃至Ｐ−１０の中でいずれか１つである。Ｐ−１０で、ｐは１以上２０以下の整数である。但し、化学式１でＰａ及びＰｂが同時にＰ−１０である場合は除外される。即ち、ＰａがＰ−１０である場合、ＰｂはＰ−１乃至Ｐ−９の中から選択されるいずれか１つであり、ＰｂがＰ−１０である場合、ＰａはＰ−１乃至Ｐ−９の中で選択されるいずれか１つである。
【０１１３】
2018072817.tif 000009
【０１１４】
また、化学式２でＰｃは、Ｐ−１乃至Ｐ−９の中から選択されるいずれか１つである。
【０１１５】
2018072817.tif 000010
【０１１６】
一方、化学式１における
2018072817.tif 000011
及び化学式２における
2018072817.tif 000012
は液晶化合物を配向させる垂直配向基でありうる。
【０１１７】
第１配向誘導層ＡＬＮ１を形成する反応性メソゲンは下記の化合物群１から選択されるいずれか１つである。
【０１１８】
＜化合物群１＞（化合物１-１〜１-１０）
2018072817.tif 000013
【０１１９】
2018072817.tif 000014
【０１２０】
2018072817.tif 000015
【０１２１】
一方、重合された反応性メソゲンは下記の化合物群２に開示された垂直配向基の中で少なくとも１つをさらに含む。
【０１２２】
＜化合物群２＞（化合物Ｖ-１〜Ｖ-１８）
2018072817.tif 000016
【０１２３】
第１配向誘導層ＡＬＮ１は提供された反応性メソゲンを重合して形成される。反応性メソゲンは紫外線を利用して重合される。即ち、反応性メソゲンのＰａ、Ｐｂ、及びＰｃの重合基は紫外線によって重合反応が進行される重合基である。
【０１２４】
図２乃至図４に図示された一実施形態の表示装置ＤＤにおいて、第１配向誘導層ＡＬＮ１を形成するための反応性メソゲンは、液晶層ＬＣＬの液晶分子ＬＣのように提供される。即ち、反応性メソゲンは、液晶滴下工程又は液晶注入工程で、液晶分子ＬＣの共に提供される。液晶分子ＬＣと共に反応性メソゲンを提供した後にはアニーリング（ａｎｎｅａｌｉｎｇ）段階を経る。
【０１２５】
以後第１基板ＳＵＢ１と第２基板ＳＵＢ２との間に電界を形成し、紫外線光を提供して液晶分子ＬＣを配列させた状態で反応性メソゲン化合物を重合させる。この時、液晶分子は第１配向誘導層ＡＬＮ１及び第２配向誘導層ＡＬＮ２に対して所定角度の線傾斜角を有するように配列される。第１配向誘導層ＡＬＮ１に隣接する液晶分子ＬＣの線傾斜角と第２配向誘導層ＡＬＮ２に隣接する液晶分子ＬＣの線傾斜角とは互いに同一であるか、又は互いに異なることができる。
【０１２６】
第２配向誘導層ＡＬＮ２が重合された反応性メソゲンで形成された層である場合、第２配向誘導層ＡＬＮ２は上述した化学式１乃至化学式２の化合物の誘導体から形成される。第２配向誘導層ＡＬＮ２は第１配向誘導層ＡＬＮ１と同一の反応性メソゲンから形成される。また、これと異なりに第２配向誘導層ＡＬＮ２は第１配向誘導層ＡＬＮ１と異なる反応性メソゲンを含んで形成される。即ち、第２配向誘導層ＡＬＮ２は第１配向誘導層ＡＬＮ１に提供された反応性メソゲンと化学構造を異にする反応性メソゲンを含んで形成される配向層である。
【０１２７】
重合された反応性メソゲンを含んで配向誘導層ＡＬＮ１、ＡＬＮ２を形成する場合、ポリイミドを利用して配向層を形成する場合に比べて低温工程で表示装置の製造工程が進行される。即ち、反応性メソゲンは紫外線光によって光重合されて配向層を形成し、高温硬化工程が不必要であり、したがって、基板ＳＵＢ１、ＳＵＢ２上に光学部材を直接形成する場合、光学部材が高温条件に露出されることを防止する。したがって、光学部材の劣化等を防止して表示装置の信頼性を改善されることができる。
【０１２８】
一方、第２配向誘導層ＡＬＮ２はポリイミドを含む。第２配向誘導層ＡＬＮ２はポリイミド配向膜である。ポリイミド配向膜は、下記の化合物群３から選択される少なくとも１つのジアンヒドリド化合物と、化合物群４から選択される少なくとも１つのジアミン化合物とを含むポリイミド配向液から形成される。ここれ、ジアミン化合物はＡＭ−１を必須的に含む。
【０１２９】
＜化合物群３＞
2018072817.tif 000017
【０１３０】
＜化合物群４＞
2018072817.tif 000018
【０１３１】
前記化合物群４で、ｎは１以上１２以下の整数である。
【０１３２】
重合された反応性メソゲンを含む配向誘導層は複数の重合体ボールＡＰを含む。図５Ａは重合された反応性メソゲンを含んで形成された配向誘導層の断面を概略的に示す。図５Ａは図２に図示された表示装置ＤＤの一実施形態で、第１配向誘導層ＡＬＮ１が形成された部分のみを概略的に示している。図５Ｂは第１配向誘導層ＡＬＮ１を平面上から見たＳＥＭ（Ｓｃａｎｎｉｎｇ  Ｅｌｅｃｔｒｏｎ  Ｍｉｃｒｏｓｃｏｐｅ）イメージを示している。
【０１３３】
第１配向誘導層ＡＬＮ１は複数の重合体ボールＡＰを含んで形成される。複数の重合体ボールＡＰはサイズ及び形状がランダムなものである。複数の重合体ボールＡＰはランダムなサイズを有する球形又は楕円形の粒子である。複数の重合体ボールＡＰは反応性メソゲンが重合反応によって形成された後の粒子である。第１配向誘導層ＡＬＮ１は反応性メソゲンによって形成されたランダムなサイズの粒子が積層されて形成された層である。例えば、複数の重合体ボールＡＰが平面上に並んで１つの層をなして第１配向誘導層ＡＬＮ１を形成するか、又は多様な粒子サイズを有する複数の重合体ボールＡＰが多層に積層されて第１配向誘導層ＡＬＮ１を形成することができる。但し、図５Ａは第１配向誘導層ＡＬＮ１を形成する重合体ボールＡＰの配置を概略的に示したことと、実施形態がこれに限定されることではない。
【０１３４】
図５Ａで第１配向誘導層ＡＬＮ１の厚さｔ１は複数の重合体ボールＡＰが積層されて形成された層の最大厚さである。第１配向誘導層の厚さｔ１は１００ｎｍ以下である。例えば、第１配向誘導層ＡＬＮ１の厚さｔ１は２０ｎｍ以上４０ｎｍ以下である。具体的に第１配向誘導層ＡＬＮ１の厚さｔ１は２０ｎｍ以上３０ｎｍ以下である。
【０１３５】
図５Ａ乃至図５Ｂでは、第１配向誘導層ＡＬＮ１が、重合された反応性メソゲンを含んで形成された場合を例示的に示したが、第２配向誘導層ＡＬＮ２が、重合された反応性メソゲンを含んで形成された場合に、図５Ａ乃至図５Ｂに図示された一実施形態におけるように、第２配向誘導層ＡＬＮ２は、複数の重合体ボールＡＰが積層された配向層形態でありうる。ここで、第２配向誘導層ＡＬＮ２の厚さは１００ｎｍ以下でありうる。例えば、第２配向誘導層ＡＬＮ２の厚さは２０ｎｍ以上４０ｎｍ以下でありうる。
【０１３６】
一方、第１配向誘導層ＡＬＮ１又は第２配向誘導層ＡＬＮ２がポリイミドを含んで形成された配向層である場合、配向層の厚さは１００ｎｍより大きいのでありうる。即ち、第１配向誘導層ＡＬＮ１又は第２配向誘導層ＡＬＮ２が、重合された反応性メソゲンを含んで形成された場合の配向層の厚さは、第１配向誘導層ＡＬＮ１又は第２配向誘導層ＡＬＮ２がポリイミドを含んで形成された配向層である場合と比較して厚さが小さいのでありうる。
【０１３７】
図２を参照すれば、一実施形態の表示装置ＤＤで表示パネルユニットＤＰはカラー変換層ＣＣＬを含む。カラー変換層ＣＣＬは液晶層ＬＣＬ上に配置される。カラー変換層ＣＣＬは、光源ユニットＢＬＵから提供された第１色光を吸収して第１色と異なる色の光を放出する発光体を含む。カラー変換層は、第１色光を吸収して第２色光を放出する発光体を含む。例えば、第１色光は青色光であり、第２色光は緑色光又は赤色光である。
【０１３８】
また、第２色光の最大吸光波長は、第１色光の最大吸光波長と異なる。例えば、第２色光の最大吸光波長は第１色光の最大吸光波長より長波長である。
【０１３９】
図６Ａはカラー変換層ＣＣＬの平面図であり、図６Ｂは図６ＡのIII−III’に対応する面の断面図である。図６Ａ乃至図６Ｂは、図２に図示された一実施形態の表示装置ＤＤに含まれたカラー変換層ＣＣＬを示す。
【０１４０】
カラー変換層ＣＣＬは複数の変換部ＣＣＦ１、ＣＣＦ２、ＣＣＦ３及び、遮光部ＢＭを含む。一実施形態でカラー変換層ＣＣＬの第１変換部乃至第３変換部ＣＣＦ１、ＣＣＦ２、ＣＣＦ３は、平面図で見て、互いに離隔されて配置される。図６Ａを参照すれば、第１変換部乃至第３変換部ＣＣＦ１、ＣＣＦ２、ＣＣＦ３は第１方向軸ＤＲ１及び第２方向軸ＤＲ２が規定する平面上で互いに離隔されて配列される。
【０１４１】
図６Ａを参照すれば、第１方向軸ＤＲ１方向に互いに異なる色の光を放出する第１変換部乃至第３変換部ＣＣＦ１、ＣＣＦ２、ＣＣＦ３が、互いに離隔されて並べて配置され、第２方向軸ＤＲ２の方向には、同一の色光を放出する変換部が、互いに離隔されて並べて配置される。互いに離隔されて配置された変換部の間には、遮光部ＢＭが配置される。遮光部ＢＭはブラックマトリックスである。遮光部ＢＭはブラック顔料又は染料を含む有機遮光物質又は無機遮光物質を含んで形成される。遮光部ＢＭは光漏れ現象を防止し、隣接する変換部同士の間の区分する境界をなす。
【０１４２】
一方、図２に図示さなかったが、遮光部ＢＭの少なくとも一部分は隣接する変換部と重なるようにて配置されうる。即ち、第１方向軸ＤＲ１と第３方向軸ＤＲ３が規定する平面上で、遮光部ＢＭは、厚さ方向に隣接する変換部と少なくとも一部分が重畳されるように配置されうる。
【０１４３】
一実施形態でカラー変換層ＣＣＬは第１色光を吸収して第２色光に放出する第１発光体及び第１色光を吸収して第３色光に放出する第２発光体を含むことができる。第３色光は第２色光と異なる色相の光である。例えば、第１色光は青色光であり、第２色光は緑色光であり、第３色光は赤色光である。
【０１４４】
図６Ｂを参照すれば、カラー変換層ＣＣＬは第１発光体ＥＰ１を含む第１変換部ＣＣＦ１、第２発光体ＥＰ２を含む第２変換部ＣＣＦ２、及び第１色光を透過する第３変換部ＣＣＦ３を含む。
【０１４５】
例えば、第１発光体ＥＰ１は青色光である第１色光を吸収して緑色光を放出し、第２発光体ＥＰ２は青色光である第１色光を吸収して赤色光を放出する。即ち、第１変換部ＣＣＦ１は緑色光を放出する発光領域であり、第２変換部ＣＣＦ２は赤色光を放出する第２発光領域である。
【０１４６】
また、第３変換部ＣＣＦ３は発光体を含まない部分である。第３変換部ＣＣＦ３は光源ユニットＢＬＵ（図２）から提供された第１色光を透過させる部分である。即ち、第３変換部ＣＣＦ３は青色光を放出する発光領域である。
【０１４７】
図６Ｂを参照すれば、第１変換部乃至第３変換部ＣＣＦ１、ＣＣＦ２、ＣＣＦ３はベース樹脂ＢＲを含む。ベース樹脂ＢＲは高分子樹脂である。例えば、ベース樹脂ＢＲはアクリル系樹脂、ウレタン系樹脂、シリコン系樹脂、エポキシ系樹脂等である。ベース樹脂ＢＲは透明樹脂である。
【０１４８】
また、第１変換部乃至第３変換部ＣＣＦ１、ＣＣＦ２、ＣＣＦ３は散乱粒子ＯＰをさらに含む。散乱粒子ＯＰはＴｉＯ２又はシリカ系ナノ粒子等である。散乱粒子ＯＰは発光体から放出される光を散乱させて変換部の外部へ放出されるようにする。また、第３変換部ＣＣＦ３のように提供された光をそのまま透過する場合には散乱粒子ＯＰは提供された光を散乱させて外部へ放出されるようにする。
【０１４９】
カラー変換層ＣＣＬに含まれる発光体ＥＰ１、ＥＰ２は、蛍光体又は量子点（Ｑｕａｎｔｕｍ  Ｄｏｔ）である。即ち、一実施形態で、カラー変換層ＣＣＬは、発光体ＥＰ１、ＥＰ２に蛍光体又は量子点の中で少なくとも１つを含む。
【０１５０】
発光体ＥＰ１、ＥＰ２に使用される蛍光体は、無機蛍光体である。一実施形態の表示装置ＤＤで、発光体ＥＰ１、ＥＰ２に使用される蛍光体は緑色蛍光体又は赤色蛍光体である。
【０１５１】
緑色蛍光体はＹＢＯ３：Ｃｅ３＋、Ｔｂ３＋、ＢａＭｇＡｌ１０Ｏ１７：Ｅｕ２＋、Ｍｎ２＋、（Ｓｒ、Ｃａ、Ｂａ）（Ａｌ、Ｇａ）２Ｓ４：Ｅｕ２＋；ＺｎＳ：Ｃｕ、Ａｌ、Ｃａ８Ｍｇ（ＳｉＯ４）４Ｃｌ２：Ｅｕ２＋、Ｍｎ２＋；Ｂａ２ＳｉＯ４：Ｅｕ２＋；（Ｂａ、Ｓｒ）２ＳｉＯ４：Ｅｕ２＋；Ｂａ２（Ｍｇ、Ｚｎ）Ｓｉ２Ｏ７：Ｅｕ２＋；（Ｂａ、Ｓｒ）Ａｌ２Ｏ４：Ｅｕ２＋、Ｓｒ２Ｓｉ３Ｏ８．２ＳｒＣｌ２：Ｅｕ２＋；等に成されるグループから選択された少なくともいずれか１つである。
【０１５２】
赤色蛍光体は（Ｓｒ、Ｃａ、Ｂａ、Ｍｇ）Ｐ２Ｏ７：Ｅｕ２＋、Ｍｎ２＋、ＣａＬａ２Ｓ４：Ｃｅ３＋；ＳｒＹ２Ｓ４：Ｅｕ２＋、（Ｃａ、Ｓｒ）Ｓ：Ｅｕ２＋、ＳｒＳ：ＥｕＥｕ２＋、Ｙ２Ｏ３：Ｅｕ３＋、Ｂｉ３＋；ＹＶＯ４：Ｅｕ３＋、Ｂｉ３＋；Ｙ２Ｏ２Ｓ：Ｅｕ３＋、Ｂｉ３＋；Ｙ２Ｏ２Ｓ：Ｅｕ３＋等に成されるグループから選択された少なくともいずれか１つである。
【０１５３】
一方、一実施形態のカラー変換層ＣＣＬに使用された蛍光体の種類は開示された材料に限定されなく、上述した蛍光体以外の公知の蛍光体材料が利用されることができる。
【０１５４】
カラー変換層ＣＣＬに含まれる発光体ＥＰ１、ＥＰ２は量子点である。量子点はII−ＶＩ族化合物、III−Ｖ族化合物、ＩＶ−ＶＩ族化合物、ＩＶ族元素、ＩＶ族化合物、及びこれらの組合から選択されることができる。
【０１５５】
II−ＶＩ族化合物は、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＭｇＳｅ、ＭｇＳ、及びこれらの混合物からなされた群から選択される二元素化合物、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＭｇＺｎＳｅ、ＭｇＺｎＳ、及びこれらの混合物からなされた群から選択される三元素化合物、及びＨｇＺｎＴｅＳ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、及びこれらの混合物からなされた群から選択される四元素化合物からなる群から選択される。
【０１５６】
III−Ｖ族化合物はＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、及びこれらの混合物からなされた群から選択される二元素化合物；ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、及びこれらの混合物からなされた群から選択される三元素化合物と、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ、及びこれらの混合物からなされた群から選択される四元素化合物からなされた群から選択されることができる。ＩＶ−ＶＩ族化合物はＳｎＳ、ＳｎＳｅ、ＳｎＴｅ、ＰｂＳ、ＰｂＳｅ、ＰｂＴｅ、及びこれらの混合物からなされた群から選択される二元素化合物；ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、及びこれらの混合物からなされた群から選択される三元素化合物と、ＳｎＰｂＳＳｅ、ＳｎＰｂＳｅＴｅ、ＳｎＰｂＳＴｅ、及びこれらの混合物からなされた群から選択される四元素化合物からなされた群から選択されることができる。ＩＶ族元素としてはＳｉ、Ｇｅ、及びこれらの混合物からなされた群から選択されることができる。ＩＶ族化合物としてはＳｉＣ、ＳｉＧｅ、及びこれらの混合物からなされた群から選択される二元素化合物である。
【０１５７】
ここで、二元素化合物、三元素化合物、又は四元素化合物は均一な濃度に粒子内に存在するか、或いは濃度分布が部分的に異なる状態に分けて同一粒子内に存在する。
【０１５８】
量子点はコア（ｃｏｒｅ）とコアを囲むシェル（ｓｈｅｌｌ）を含むコアシェル構造である。また、１つの量子点が他の量子点を囲むコア／シェル構造を有してもよい。コアとシェルとの界面はシェルに存在する元素の濃度が中心に行くほど、低くなる濃度勾配（ｇｒａｄｉｅｎｔ）を有する。
【０１５９】
量子点はナノメータスケールのサイズを有する粒子である。量子点は約４５ｎｍ以下、望ましくは約４０ｎｍ以下、さらに望ましくは約３０ｎｍ以下の発光波長スペクトルの半値幅（ｆｕｌｌ  ｗｉｄｔｈ  ｏｆ  ｈａｌｆ  ｍａｘｉｍｕｍ、ＦＷＨＭ）を有し、この範囲で色純度や色再現性を向上させることができる。また、このような量子点を通じて発光される光は前方向へ放出され、光視野角が向上されうる。
【０１６０】
また、量子点の形態は、本分野で一般的に使用する形態のことと特別に限定しないが、より具体的に球形、ピラミッド形、多重アーム形（ｍｕｌｔｉ−ａｒｍ）、又は立方体（ｃｕｂｉｃ）のナノ粒子、ナノチューブ、ナノワイヤ、ナノ繊維、ナノ板状粒子等の形態のものを使用することができる。
【０１６１】
量子点は、粒子サイズによって放出する光の色相が変化されうる。第１発光体ＥＰ１及び第２発光体ＥＰ２が量子点である場合、第１発光体ＥＰ１の粒子サイズ及び第２発光体ＥＰ２の粒子サイズは互いに異なる。例えば、第１発光体ＥＰ１の粒子サイズは第２発光体ＥＰ２の粒子サイズより小さい。ここで、第１発光体ＥＰ１は第２発光体ＥＰ２より短波長の光を放出する。
【０１６２】
図２に図示された一実施形態の表示装置ＤＤは、偏光層ＰＯ１、ＰＯ２を含む。表示パネルユニットＤＰは、第１方向の偏光軸を有する第１偏光層ＰＯ１、及び、第１方向と直交する第２方向の偏光軸を有する第２偏光層ＰＯ２を含む。
【０１６３】
第１偏光層ＰＯ１及び第２偏光層ＰＯ２の中で少なくとも１つは第１基板ＳＵＢ１及び第２基板ＳＵＢ２の間に配置される。即ち、第１偏光層ＰＯ１及び第２偏光層ＰＯ２の中で少なくとも１つは対向する第１基板ＳＵＢ１及び第２基板ＳＵＢ２の間に配置されるインセル（Ｉｎ−ｃｅｌｌ）形態の偏光層である。
【０１６４】
図２では第１偏光層ＰＯ１は、第１基板ＳＵＢ１と第２基板ＳＵＢ２との間に配置され、第２偏光層ＰＯ２は、光源ユニットＢＬＵと第２基板ＳＵＢ２との間に配置されるものとして図示した。即ち、図２で一実施形態の表示装置ＤＤの第１偏光層ＰＯ１が、インセル形態の偏光層である場合を図示した。しかし、実施形態がこれに限定されることはなく、第２偏光層ＰＯ２も第１基板ＳＵＢ１と第２基板ＳＵＢ２との間に配置されうる。
【０１６５】
図２に図示された一実施形態の表示装置ＤＤでは、第１偏光層ＰＯ１は、第１配向誘導層ＡＬＮ１とカラー変換層ＣＣＬとの間に配置される。
【０１６６】
第１偏光層ＰＯ１は、第１偏光層ＰＯ１の偏光軸に沿った方向に振動する光を透過し、第２偏光層ＰＯ２は、第２偏光層ＰＯ２の偏光軸に沿った方向であって第１偏光層ＰＯ１の偏光軸と直交する方向に振動する光を透過する。
【０１６７】
第１偏光層ＰＯ１又は第２偏光層ＰＯ２は、コーティング形の偏光層、又は、蒸着によって形成された偏光層である。第１偏光層ＰＯ１又は第２偏光層ＰＯ２は、二色性染料及び液晶化合物を含んだ物質をコーティングして形成される。又は第１偏光層ＰＯ１又は第２偏光層ＰＯ２はワイヤグリッドタイプ偏光層である。
【０１６８】
しかし、実施形態がこれに限定されることはなく、第１偏光層ＰＯ１又は第２偏光層ＰＯ２はフィルムタイプの偏光部材であってもよい。例えば、第１偏光層ＰＯ１又は第２偏光層ＰＯ２が、インセルではない第１基板ＳＵＢ１の上部面又は第２基板ＳＵＢ２の下部面に配置される場合、第１偏光層ＰＯ１又は第２偏光層は、別に製作されて、第１基板ＳＵＢ１又は第２基板ＳＵＢ２に取り付けられる偏光部材である。
【０１６９】
図２に図示された一実施形態で、カラー変換層ＣＣＬは第１基板ＳＵＢ１に直接配置される。本明細書で直接配置されるとういのは接着部材等を追加に使用せずに配置することを意味する。図２でカラー変換層ＣＣＬは接着部材等を含まず、第１基板ＳＵＢ１上に直接配置される。即ち、カラー変換層ＣＣＬはフォトレジスト工程等を利用して第１基板ＳＵＢ１上に形成される。
【０１７０】
図２に図示された一実施形態の表示装置ＤＤは、カラー変換層ＣＣＬと第１偏光層ＰＯ１が配置された第１基板ＳＵＢ１を提供する段階、第２偏光層ＰＯ２と第２配向誘導層ＡＬＮ２が配置された第２基板ＳＵＢ２を提供する段階、第１基板ＳＵＢ１と第２基板ＳＵＢ２を貼り合わせる段階、貼り合わされた第１基板ＳＵＢ１と第２基板ＳＵＢとの間に液晶ＬＣと反応性メソゲンを共に提供し、反応性メソゲンを含む第１配向誘導層ＡＬＮ１を形成する段階を含む製造方法に提供される。
【０１７１】
図２の一実施形態の表示装置ＤＤで、第１配向誘導層ＡＬＮ１は、第１基板ＳＵＢ１にカラー変換層ＣＣＬと第１偏光層ＰＯ１が提供された後に形成される。第１配向誘導層ＡＬＮ１はポリイミド配向膜の代わりに上述したように反応性メソゲンに紫外線光を提供して形成されるので、一実施形態の表示装置ＤＤの製造段階では、配向誘導層形成のための高温工程が省略されうる。したがって、第１配向誘導層ＡＬＮ１形成の前に予め提供されたカラー変換層ＣＣＬと第１偏光層ＰＯ１が、第１配向誘導層ＡＬＮ１の形成の際、高温工程に露出されないので、熱によって変形されることが防止されることができる。
【０１７２】
即ち、図２に図示された一実施形態の表示装置ＤＤは、少なくともカラー変換層ＣＣＬに隣接する配向誘導層である第１配向誘導層ＡＬＮ１を重合された反応性メソゲンを含むように形成することによって、表示装置ＤＤの製造工程の中でカラー変換層ＣＣＬが高温工程条件に露出されることを防止することができる。したがって、第１配向誘導層ＡＬＮ１について、重合された反応性メソゲンを含むように形成した一実施形態の表示装置はカラー変換層ＣＣＬの発光維持率を増加させて表示品質の信頼性を改善することができる。
【０１７３】
また、配向誘導層ＡＬＮ１、ＡＬＮ２を、ポリイミドを含む配向層に形成せず、重合された反応性メソゲンを含むように形成することによって、配向層形成のための高温工程を減少できるので、カラー変換層ＣＣＬのみならず、その他の光学部材の劣化を防止することができる。したがって、一実施形態では、表示装置の製造工程で、ポリイミド配向膜を硬化する高温工程を減少させることによって、信頼性が改善された表示装置ＤＤを具現することができる。特に、カラー変換層ＣＣＬが隣接する第１配向誘導層ＡＬＮ１について、ポリイミド配向膜ではない、重合された反応性メソゲンを含むように形成することによって、カラー変換層ＣＣＬの信頼性及び光効率が改善された表示装置ＤＤを具現することができる。
【０１７４】
以下、図７乃至図１４を参照して一実施形態の表示装置について説明する。図７乃至図１４に対する説明において、上述した図１乃至図６Ｂで説明した内容と重複する内容は再び説明せず、差異点を主に説明する。
【０１７５】
図７、図１０、図１２乃至図１４は、一実施形態の表示装置の断面図を示す。図１１は一実施形態の表示装置の分解斜視図を示す。図７、及び図１０乃至図１４に図示された一実施形態の表示装置は、光源ユニットＢＬＵ及び光源ユニットＢＬＵ上に配置された表示パネルユニットＤＰを含む。表示パネルユニットＤＰは、対向する第１基板ＳＵＢ１及び第２基板ＳＵＢ２、液晶層ＬＣＬ、第１配向誘導層ＡＬＮ１と第２配向誘導層ＡＬＮ２及びカラー変換層ＣＣＬを含む。図７及び図１０乃至図１４において、図２で説明したのと同一の図面符号に記載されたことについては、図２で説明した内容と同一の内容が適用されうる。
【０１７６】
図７に図示された一実施形態の表示装置ＤＤ−１は、図２に図示された一実施形態の表示装置ＤＤと比較した場合、反射層ＲＰをさらに含む。
【０１７７】
図７に図示された一実施形態の表示装置ＤＤ−１において、表示パネルユニットＤＰ’は、液晶層ＬＣＬを基準に、液晶層ＬＣＬ上に順次に積層された、第１配向誘導層ＡＬＮ１、第１偏光層ＰＯ１、反射層ＲＰ、及び第１基板ＳＵＢ１を含む。また、表示パネルユニットＤＰは、液晶層ＬＣＬを基準に、光源ユニットＢＬＵの方向へと順次に積層された、第２配向誘導層ＡＬＮ２、第２基板ＳＵＢ２及び第２偏光層ＰＯ２を含む。
【０１７８】
カラー変換層ＣＣＬ’は、第１変換部乃至第３変換部ＣＣＦ１、ＣＣＦ２、ＣＣＦ３と、これら第１変換部乃至第３変換部ＣＣＦ１、ＣＣＦ２、ＣＣＦ３における隣り合う変換部同士の間の箇所ごとに配置された遮光部ＢＭ’とを含む。
【０１７９】
反射層ＲＰは、カラー変換層ＣＣＬ’と液晶層ＬＣＬとの間に配置される。反射層ＲＰは、第１色光を透過させ、第２色光及び第３色光を反射させる。反射層ＲＰは選択的透過反射層である。
【０１８０】
反射層ＲＰは、光源ユニットＢＬＵから提供される第１色光は透過し、カラー変換層ＣＣＬの変換部で放出されて表示パネルユニットＤＰ’の下部方向に向かう第２色光及び第３色光は反射させて表示パネルユニットＤＰ’の上部方向に出光されるようにする。反射層ＲＰは単一層であるか、又は複数の絶縁膜が積層されてもよい。
【０１８１】
図８は、図７に図示された一実施形態の表示装置ＤＤ−１に含まれる反射層ＲＰを拡大して示した断面図である。図８は複数の絶縁膜を含む反射層ＲＰに対する断面図である。複数の絶縁膜を含んで形成された反射層ＲＰは積層された層の間の屈折率の差、積層された層の各々の厚さ、及び積層された層の数等によって透過及び反射波長の範囲が定まれる。
【０１８２】
一実施形態で反射層ＲＰは互いに異なる屈折率を有する第１絶縁膜ＩＬ１及び第２絶縁膜ＩＬ２を含む。反射層ＲＰは少なくとも１つの第１絶縁膜ＩＬ１及び少なくとも１つの第２絶縁膜ＩＬ２を含む。第１絶縁膜ＩＬ１及び第２絶縁膜ＩＬ２の各々は複数に具備されて交互に積層される。
【０１８３】
例えば、相対的に高い屈折率を有する高屈折率層として酸化金属物質が使用されることができ、具体的に高屈折率層はＴｉＯｘ、ＴａＯｘ、ＨｆＯｘ、及びＺｒＯｘの中で少なくとも１つを含むことができる。また、相対的に低い屈折率を有する低屈折率層はＳｉＯｘ又はＳｉＣＯｘ等を含む。
【０１８４】
また、一実施形態で反射層ＲＰはＳｉＮｘとＳｉＯｘとが交互に反複蒸着されて形成される。しかし、第１絶縁膜ＩＬ１と第２絶縁膜ＩＬ２の材料が例示された材料に限定されることではない。
【０１８５】
反射層ＲＰはカラー変換層ＣＣＬの変換部ＣＣＦ１、ＣＣＦ２、ＣＣＦ３の露出された部分を包み込むように配置される。反射層ＲＰは変換部ＣＣＦ１、ＣＣＦ２、ＣＣＦ３及び遮光部ＢＭ上に配置される。具体的に、反射層ＲＰはカラー変換層ＣＣＬ及び第１偏光層ＰＯ１の間に配置される。反射層ＲＰはカラー変換層ＣＣＬを保護する保護層の役割をする。
【０１８６】
図７を参照すれば、反射層ＲＰはカラー変換層ＣＣＬの変換部ＣＣＦ１、ＣＣＦ２、ＣＣＦ３と遮光部ＢＭとがなす凸凹に沿って配置される。即ち、反射層ＲＰは第１偏光層ＰＯ１と対向する変換部ＣＣＦ１、ＣＣＦ２、ＣＣＦ３及び遮光部ＢＭの一面に沿って配置されて凸凹部を有するように形成される。反射層ＲＰの上には平坦化層ＯＣが配置される。平坦化層ＯＣは反射層ＲＰと第１偏光層ＰＯ１との間に配置されて反射層ＲＯの凸凹部を満たすように配置される。また、平坦化層ＯＣは第１偏光層ＰＯ１を支持する支持体（ｓｕｐｐｏｒｔｅｒ）の役割をする。
【０１８７】
図９は、図７に図示された一実施形態の表示装置ＤＤ−１において、光源ユニットＢＬＵから提供され、表示パネルユニットＤＰに含まれた光学部材を経ることで、変化されて放出される光の状態について、概略的に示している。光学部材は、第１偏光層ＰＯ１、第２偏光層ＰＯ２、液晶層ＬＣＬ、反射層ＲＰ、及びカラー変換層ＣＣＬである。
【０１８８】
光源ユニットＢＬＵで発生された青色光ＢＬは、光源ユニットＢＬＵ上に配置された第２偏光層ＰＯ２へ提供される。青色光ＢＬは、第２偏光層ＰＯ２を通過する間に、一方向に振動する偏光された第１青色光ＢＬ−Ｐ２になる。偏光された第１青色光ＢＬ−Ｐ２は、第２偏光層ＰＯ２上に配置された液晶層ＬＣＬを通過する間に、光の振動方向が変動される。例えば、液晶層ＬＣＬを透過した透過光ＢＬ−ＬＣは、第１青色光ＢＬ−Ｐ２の振動方向と直交する方向に、振動する光である。例えば、液晶層ＬＣＬを透過した透過光ＢＬ−ＬＣは、第１青色光ＢＬ−Ｐ２と振動方向が直交する第２青色光ＢＬ−Ｐ１である。
【０１８９】
第２偏光層ＰＯ２の偏光軸と直交する偏光軸を有する第１偏光層ＰＯ１は、第２青色光ＢＬ−Ｐ１を透過させて、反射層ＲＰへ提供する。反射層ＲＰを透過した第２青色光ＢＬ−Ｐ１は、カラー変換層ＣＣＬへ提供される。第２青色光ＢＬ−Ｐ１は、カラー変換層ＣＣＬの各変換部ＣＣＦ１、ＣＣＦ２、ＣＣＦ３に提供される。
【０１９０】
カラー変換層ＣＣＬは、青色光を吸収して緑色光を放出する第１変換部ＣＣＦ１、青色光を吸収して赤色光を放出する第２変換部ＣＣＦ２、及び、青色光を透過する第３変換部ＣＣＦ３を含む。
【０１９１】
第１変換部ＣＣＦ１に供給された第２青色光ＢＬ−Ｐ１は、緑色光ＧＬに変換される。緑色光ＧＬは、第１変換部ＣＣＦ１から外部へ放出される。緑色光ＧＬの中で、カラー変換層ＣＣＬの下部面へ放出された一部の光は、反射層ＲＰで反射されて、外部へ放出される。即ち、反射層ＲＰで反射された緑色光ＧＬは、再びカラー変換層ＣＣＬの上部面へ放出される。
【０１９２】
また、第２変換部ＣＣＦ２に供給された第２青色光ＢＬ−Ｐ１は、赤色光ＲＬに変換される。赤色光ＲＬは、第２変換部ＣＣＦ２から外部へ放出される。赤色光ＲＬの中で、下部へ放出された一部の光は反射層ＲＰで反射されて、第２変換部ＣＣＦ２から外部へ放出される。即ち、反射層ＲＰで反射された赤色光ＲＬは、再びカラー変換層ＣＣＬの上部面へ放出される。
【０１９３】
第３変換部ＣＣＦ３は、第２青色光ＢＬ−Ｐ１をそのまま透過させて外部へ放出する。即ち、一実施形態の表示装置ＤＤ−１に含まれた反射層ＲＰは、青色光は透過し、緑色光と赤色光は反射する選択的反射層である。
【０１９４】
図７に図示された一実施形態において、第１配向誘導層ＡＬＮ１は、重合された反応性メソゲンを含む配向層である。また、第２配向誘導層ＡＬＮ２は、重合された反応性メソゲンを含む配向層であるか、又はポリイミドを含む配向層である。又は、第２配向誘導層ＡＬＮ２は、重合された反応性メソゲン及びポリイミドを全て含む配向層である。
【０１９５】
図１０は、一実施形態の表示装置ＤＤ−２に対する断面図である。図１０の表示装置ＤＤ−２は、図２及び図９に図示された一実施形態の表示装置ＤＤ、ＤＤ−１と比較すると、光フィルター層ＦＰ１、ＦＰ２をさらに含む。また、図１０の表示装置ＤＤ−２は、図２及び図９に図示された一実施形態の表示装置ＤＤ、ＤＤ−１と比較すると、反射防止層ＡＲをさらに含む。
【０１９６】
光フィルター層ＦＰ１、ＦＰ２は、カラー変換層ＣＣＬ”上に配置される。光フィルター層ＦＰ１、ＦＰ２は、カラー変換層ＣＣＬ”上に配置されて、第１色光は遮断し、第２色光又は第３色光は透過する。即ち光フィルター層ＦＰ１、ＦＰ２は、青色光は遮断し、緑色光及び赤色光は透過させる。
【０１９７】
光フィルター層ＦＰ１、ＦＰ２は、１つの層で構成されるか、又は複数の層が積層された形態である。例えば、光フィルター層ＦＰ１、ＦＰ２が、青色光を吸収する物質を含む単一の層であるか、又は光フィルター層ＦＰ１、ＦＰ２が、反射層ＲＰのように低屈折率層と高屈折率とが層が積層された構造でありうる。
【０１９８】
また、光フィルター層ＦＰ１、ＦＰ２は、顔料又は染料を含むことで、特定波長の光を遮断する。例えば、一実施形態で、光フィルター層ＦＰ１、ＦＰ２は、青色光を遮断するために青色光を吸収するイエローカラーフィルター層である。
【０１９９】
光フィルター層ＦＰ１、ＦＰ２は、第１変換部ＣＣＦ１上に配置される第１光フィルター層ＦＰ１、及び、第２変換部ＣＣＦ２上に配置される第２光フィルター層ＦＰ２を含みうる。第１光フィルター層ＦＰ１は、青色光は遮断し、緑色光は透過するフィルター層でありうる。また、第２光フィルター層ＦＰ２は、青色光は遮断し、赤色光は透過するフィルター層でありうる。
【０２００】
第１変換部ＣＣＦ１上に配置される第１光フィルター層ＦＰ１は、緑色顔料と、緑色光を放出する蛍光体と、緑色光を放出する量子点との中で少なくとも１つを含みうる。また、第１光フィルター層ＦＰ１は、緑色光を放出する蛍光体又は量子点を含むか、または赤色光を放出する蛍光体又は量子点を含むのでありうる。
【０２０１】
第２変換部ＣＣＦ２上に配置される第２光フィルター層ＦＰ２は、赤色顔料と、赤色光を放出する蛍光体と、赤色光を放出する量子点の中で少なくとも１つを含みうる。また、第２光フィルター層ＦＰ２は、赤色光を放出する蛍光体又は量子点を含むか、または緑色光を放出する蛍光体又は量子点を含むのでありうる。第２変換部ＣＣＦ２は、赤色光を放出する第２発光体ＥＰ２（図６Ｂ）を含む部分でありうる。
【０２０２】
図１０に図示された一実施形態の表示装置ＤＤ−２で、反射防止層ＡＲは第１基板ＳＵＢ１上に配置されうる。例えば、反射防止層ＡＲは、表示パネルユニットＤＰ”の最上部層に配置されうる。反射防止層ＡＲは、表示パネルユニットＤＰ”の外部から表示パネルユニットＤＰ側に提供される外部光を遮断する。また、反射防止層ＡＲは表示パネルユニットＤＰ”の外部から提供される外部光の中で青色光を遮断する。例えば、反射防止層ＡＲは偏光層及び位相補償層が積層された形態である。
【０２０３】
図１０に図示された一実施形態で、第１配向誘導層ＡＬＮ１は、重合された反応性メソゲンを含む配向層である。また、第２配向誘導層ＡＬＮ２は、重合された反応性メソゲンを含む配向層であるか、又はポリイミドを含む配向層である。又は第２配向誘導層ＡＬＮ２は、重合された反応性メソゲン及びポリイミドを全て含む層である。
【０２０４】
図１１は、一実施形態の表示装置ＤＤ−３の分解斜視図である。図１１に図示された一実施形態の表示装置ＤＤ−３は、図１０に図示された一実施形態の表示装置ＤＤ−２にて、反射防止層ＡＲが省略された場合の積層構造と同一の積層構造を有する。
【０２０５】
図１１に図示された一実施形態の表示装置ＤＤ−３は、液晶層ＬＣＬを基準に、液晶層ＬＣＬから第１基板ＳＵＢ１方向へと順次に積層された、第１配向誘導層ＡＬＮ１、共通電極ＣＥ、第１偏光層ＰＯ１、平坦化層ＯＣ、反射層ＲＰ、及びカラー変換層ＣＣＬ”’を含む。
【０２０６】
カラー変換層ＣＣＬ”’は、第１変換部乃至第３変換部ＣＣＦ１、ＣＣＦ２、ＣＣＦ３及び遮光部ＢＭ”を含む。また、一実施形態で、カラー変換層ＣＣＬ”’上に配置された光フィルター層ＦＰ１、ＦＰ２をさらに含む。第１光フィルター層ＦＰ１は第１変換部ＣＣＦ１上に配置され、第２光フィルター層ＦＰ２は第２変換部ＣＣＦ２上に配置される。
【０２０７】
第１光フィルター層ＦＰ１及び第２光フィルター層ＦＰ２を含む構成に対する説明は、上述した図１０で説明した内容と同一の内容が適用される。
【０２０８】
一方、図１１の分解斜視図を参照すれば、反射層ＲＰは、カラー変換層ＣＣＬの凸凹を包み込むように配置されうる。即ち、一実施形態の表示装置ＤＤ−３を製造する工程で、反射層ＲＰは、第１基板ＳＵＢ１上にカラー変換層ＣＣＬ”’を配置した後に、カラー変換層ＣＣＬ”’上に提供されうる。したがって、反射層ＲＰは、第１基板ＳＵＢ１上に形成されたカラー変換層ＣＣＬ”’の凸凹部に沿って配置されることで、カラー変換層ＣＣＬ”’の凸凹部に対応する凸凹部を有しうる。反射層ＲＰの上には平坦化層ＯＣが配置されうる。平坦化層ＯＣは反射層ＲＰの凸凹を包み込むように配置されうる。平坦化層ＯＣは、液晶層ＬＣＬに隣接する反射層ＲＰの下部面の凸凹を埋めるように配置されて第１偏光層ＰＯ１と隣接する面を平坦にしうる。
【０２０９】
カラー変換層ＣＣＬ”’の凸凹に沿うように配置される反射層ＲＰである場合、反射層ＲＰをなす物質を、カラー変換層ＣＣＬ”’上に直接コーティングして形成されうる。
【０２１０】
また、図１１に図示された一実施形態で、カラー変換層の遮光部ＢＭ”は、第１変換部乃至第３変換部ＣＣＦ１、ＣＣＦ２、ＣＣＦ３と、第３方向軸ＤＲ３方向に一部が重なるように配置される。即ち、一実施形態の表示装置ＤＤ−３を製造する工程で、第１基板ＳＵＢ１上に、遮光部ＢＭパターンを形成して領域を区分するのであり、遮光部ＢＭパターンによって範囲が画される部分に、それぞれ第１変換部乃至第３変換部ＣＣＦ１、ＣＣＦ２、ＣＣＦ３が配置される。
【０２１１】
図１１に図示された一実施形態で、第１配向誘導層ＡＬＮ１は、重合された反応性メソゲンを含む配向層である。また、第２配向誘導層ＡＬＮ２は、重合された反応性メソゲンを含む配向層であるか、又はポリイミドを含む配向層である。
【０２１２】
図１２に図示された一実施形態の表示装置ＤＤ−４は、第１偏光層ＰＯ１及び第２偏光層ＰＯ２が全て、第１基板ＳＵＢ１と第２基板ＳＵＢ２との間に配置される。第１偏光層ＰＯ１は第１基板ＳＵＢ１と第１配向誘導層ＡＬＮ１との間に配置され、第２偏光層ＰＯ２は、第２基板ＳＵＢ２と第２配向誘導層ＡＬＮ２との間に配置される。
【０２１３】
一方、図１２に図示された一実施形態の表示装置ＤＤ−４では、上述した図２、図７及び図１０に図示された一実施形態の表示装置と異なり、カラー変換層ＣＣＬが第１基板ＳＵＢ１上に配置される。即ち、図１２に図示された一実施形態の表示装置ＤＤ−４で、カラー変換層ＣＣＬは、第１基板ＳＵＢ１の上部面上に配置される。具体的に、第１基板ＳＵＢ１の上部面は、液晶層ＬＣＬと隣接しない第１基板ＳＵＢ１の一面である。
【０２１４】
一方、図面に図示されなかったが、図１２に図示された一実施形態の表示装置ＤＤ−４は、図１０に図示された反射層ＲＰ（図１０）及び光フィルター層ＦＰ１、ＦＰ２（図１０）にそれぞれ対応する反射層（図示せず）及び光フィルター層（図示せず）をさらに含みうる。例えば、反射層（図示せず）がカラー変換層ＣＣＬの下部面に配置され、光フィルター層（図示せず）がカラー変換層ＣＣＬの上部面に配置されるのでありうる。
【０２１５】
図１２に図示された一実施形態で、第１配向誘導層ＡＬＮ１は、重合された反応性メソゲンを含む配向層である。また、第２配向誘導層ＡＬＮ２は、重合された反応性メソゲンを含む配向層であるか、又はポリイミドを含む配向層でありうる。
【０２１６】
図１３に図示された一実施形態の表示装置ＤＤ−５は、カラーフィルター層ＣＦをさらに含む。図１３に図示された一実施形態の表示装置ＤＤ−５は、光源ユニットＢＬＵ及び表示パネルユニットＤＰ””を含み、光源ユニットＢＬＵで生成された第１色光は、表示パネルユニットＤＰ””へ提供される。第１色光は青色光である。
【０２１７】
表示パネルユニットＤＰ”“は、互いに対向する第１基板ＳＵＢ１及び第２基板ＳＵＢ２と、液晶層ＬＣＬと、液晶層ＬＣＬを介して各々第１基板ＳＵＢ１及び第２基板ＳＵＢ２に隣接するように配置される第１配向誘導層ＡＬＮ１及び第２配向誘導層ＡＬＮ２とを含む。また、第１基板ＳＵＢ１と第１配向誘導層ＡＬＮ１との間に配置されるカラー変換層ＣＣＬ””を含む。また、カラー変換層ＣＣＬ””と第１配向誘導層ＡＬＮ１との間には第１偏光層ＰＯ１が配置される。
【０２１８】
カラー変換層ＣＣＬ””は、放出される色相別に発光領域が区分されていない１つの層として提供されうる。例えば、カラー変換層ＣＣＬ””は、変換部と区分されず、第１偏光層ＰＯ１上で１つの層として配置されうる。
【０２１９】
カラー変換層ＣＣＬ””は、第１発光体ＥＰ１及び第２発光体ＥＰ２を全て含みうる。即ち、カラー変換層ＣＣＬ””は、青色光を吸収して緑色光を放出する第１発光体ＥＰ１、及び、青色光を吸収して赤色光を放出する第２発光体ＥＰ２を全て含んで、カラーフィルター層ＣＦへ白色光を提供するのでありうる。
【０２２０】
カラー変換層ＣＣＬ””はベース樹脂ＢＲを含みうる。カラー変換層ＣＣＬ””にて、第１発光体ＥＰ１及び第２発光体ＥＰ２は、ベース樹脂ＢＲ中に分散されて配置されうる。また、カラー変換層ＣＣＬ””は散乱粒子ＯＰをさらに含みうる。散乱粒子ＯＰはＴｉＯ２又はシリカ系ナノ粒子等でありうる。
【０２２１】
カラーフィルター層ＣＦは、複数のフィルター部ＣＦ１、ＣＦ２、ＣＦ３及び遮光部ＢＭを含みうる。複数のフィルター部ＣＦ１、ＣＦ２、ＣＦ３は、互いに異なる色の光を透過させるフィルター部でありうる。遮光部ＢＭ”’は、複数のフィルター部Ｃｋ１、ＣＦ２、ＣＦ３の中で隣接するフィルター部の間に配置される。例えば、遮光部ＢＭは複数のフィルター部を互いに区分する。遮光部ＢＭ”’はブラックマトリックスである。遮光部ＢＭ”’は、ブラック顔料又は染料を含む有機遮光物質又は無機遮光物質を含んで形成されうる。遮光部ＢＭ”’は光漏れ現象を防止し、隣接するフィルター部の間の境界を区分する。
【０２２２】
カラーフィルター層ＣＦは緑色光を透過する第１フィルター部ＣＦ１、赤色光を透過する第２フィルター部ＣＦ２及び青色光を透過する第３フィルター部ＣＦ３を含みうる。第１フィルター部ＣＦ１は緑色顔料を含むものあり、第２フィルター部ＣＦ２は赤色顔料を含むのでありうる。また、第３フィルター部ＣＦ３は青色顔料を含みうる。
【０２２３】
図１３に図示された一実施形態の表示装置ＤＤ−５は、カラーフィルター層ＣＦ及びカラー変換層ＣＣＬ””を含むことで、カラーフィルター層ＣＦのみを使用する場合に比べて色純度が高い表示装置を具現することができる。
【０２２４】
また、図１３に図示された一実施形態で第１配向誘導層ＡＬＮ１は、重合された反応性メソゲンを含む配向層である。また、第２配向誘導層ＡＬＮ２は重合された反応性メソゲンを含む配向層であるか、又はポリイミドを含む配向層でありうる。
【０２２５】
図１４は一実施形態の表示装置の断面図である。図１４に図示された一実施形態の表示装置ＤＤ−６は、カーブドディスプレイ（曲面表示装置）である。図１４に図示された一実施形態の表示装置ＤＤ−６は曲がった第１基板ＳＵＢ１及び曲がった第２基板ＳＵＢ２を含む。図１４に図示された一実施形態の表示装置ＤＤ−６は、上述した図２に図示された一実施形態の表示装置ＤＤと比較すると、第１基板ＳＵＢ１及び第２基板ＳＵＢ２が曲がった形態に配置されることにおいて差がある。第１基板ＳＵＢ１は第１曲率半径を有するように曲がった基板であり、第２基板ＳＵＢ２は第２曲率半径を有するように曲がった基板である。第２基板ＳＵＢ２の曲率半径は第１基板ＳＵＢ１の曲率半径以上である。また、光源ユニットＢＬＵは第１基板ＳＵＢ１及び第２基板ＳＵＢ２の曲がった形態に沿って曲がった形態に配置される。
【０２２６】
図１４に図示された一実施形態の表示装置ＤＤ−６は、曲がった第１基板ＳＵＢ１’と曲がった第２基板ＳＵＢ２’との間に配置された液晶層ＬＣＬ’、液晶層ＬＣＬ’を介して第１基板ＳＵＢ１’に隣接して配置された第１配向誘導層ＡＬＮ１’、及び、第２基板ＳＵＢ２’に隣接して配置された第２配向誘導層ＡＬＮ２’を含む。第１配向誘導層ＡＬＮ１’の上には、第１偏光層ＰＯ１’及びカラー変換層ＣＣＬ””’が順次に積層されて配置される。また、第２偏光層ＰＯ２’は第２基板ＳＵＢ２’の下部面に配置される。
【０２２７】
図１４に図示された一実施形態で、第１配向誘導層ＡＬＮ１’は、重合された反応性メソゲンを含む配向層である。また、第２配向誘導層ＡＬＮ２’は、重合された反応性メソゲンを含む配向層であるか、又はポリイミドを含む配向層である。
【０２２８】
一方、図１４に図示された一実施形態では、液晶分子ＬＣの中で、第１配向誘導層ＡＬＮ１’に隣接して配置された液晶分子ＬＣ１の線傾斜角の平均値と、第２配向誘導層ＡＬＮ２’に隣接して配置された液晶分子ＬＣ２の線傾斜角の平均値とは、互いに異なる。
【０２２９】
例えば、第１配向誘導層ＡＬＮ１’に隣接する液晶分子ＬＣ１の線傾斜角の平均値は、第２配向誘導層ＡＬＮ２’に隣接する液晶分子ＬＣ２の線傾斜角の平均値以上である。例えば、第１配向誘導層ＡＬＮ１’に隣接する液晶分子ＬＣ１の線傾斜角の平均値は、約８９°以上９０°以下である。また、第２配向誘導層ＡＬＮ２’に隣接する液晶分子ＬＣ２の線傾斜角の平均値は、約８８°以上約８９°以下である。
【０２３０】
図７乃至図１４で説明した一実施形態の表示装置は、配向誘導層について重合された反応性メソゲンを含むように形成することで、ポリイミドを利用する配向膜形成工程を減少させることによって、表示装置が高温条件に露出されることを防止することができる。したがって、一実施形態において少なくとも第１配向誘導層について重合された反応性メソゲンを含むように形成して、第１配向誘導層に隣接して配置されたカラー変換層の劣化を防止することができる。したがって、一実施形態の表示装置は、カラー変換層が高温工程に露出されることを防止して、高い色再現率を有しながら、光維持率が高い表示装置を具現することができる。
【０２３１】
また、一実施形態の表示装置は、液晶分子を配向するための配向層形成の際、高温工程の代わりに、光重合して形成された重合性反応性メソゲンを含むようにして、カラー変換層、偏光層等を含む光学部材の信頼性と表示品質が改善されることができる。
【０２３２】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更させることを理解させることができる。
【０２３３】
したがって、本発明の技術的範囲は明細書の詳細な説明に記載された内容に限定されることではなく、特許請求の範囲によって定まれなければならない。
【符号の説明】
【０２３４】
ＢＬＵ      光源ユニット
ＤＰ        表示パネルユニット
ＳＵＢ１    第１基板
ＳＵＢ２    第２基板
ＡＬＮ１    第１配向誘導層
ＡＬＮ２    第２配向誘導層
ＬＣＬ      液晶層
ＣＣＬ      カラー変換層
ＰＯ１      第１偏光層
ＰＯ２      第２偏光層
【図１】
2018072817.tif 000021
【図２】
2018072817.tif 000022
【図３Ａ】
2018072817.tif 000023
【図３Ｂ】
2018072817.tif 000024
【図４】
2018072817.tif 000025
【図５Ａ】
2018072817.tif 000026
【図５Ｂ】
2018072817.tif 000027
【図６Ａ】
2018072817.tif 000028
【図６Ｂ】
2018072817.tif 000029
【図７】
2018072817.tif 000030
【図８】
2018072817.tif 000031
【図９】
2018072817.tif 000032
【図１０】
2018072817.tif 000033
【図１１】
2018072817.tif 000034
【図１２】
2018072817.tif 000035
【図１３】
2018072817.tif 000036
【図１４】
2018072817.tif 000037